(57)【要約】【課題】本人確認時にオンラインで提出される画像が、その場で撮影されたものであることを担保することが可能な技術を提供すること。【解決手段】第１情報処理装置と通信する第２情報処理装置が実行する情報処理方法であって、第１情報処理装置の位置情報と、撮影時の位置情報が付加されたユーザの本人確認画像を、第１情報処理装置から受信する受信ステップと、第１情報処理装置の位置情報と、ユーザの本人確認画像に付与された位置情報とが所定の範囲内である場合に、本人確認画像をユーザの本人認証の少なくとも一部として承認する認証ステップと、を含む情報処理方法を提供する。【選択図】図１４
2020021459.tif 000002
【特許請求の範囲】
【請求項１】
第１情報処理装置と通信する第２情報処理装置が実行する情報処理方法であって、
前記第１情報処理装置の位置情報と、撮影時の位置情報が付加されたユーザの本人確認
画像を、前記第１情報処理装置から受信する受信ステップと、
前記第１情報処理装置の位置情報と、前記ユーザの本人確認画像に付与された位置情報
とが所定の範囲内である場合に、前記本人確認画像を前記ユーザの本人認証の少なくとも
一部として承認する認証ステップと、を含む情報処理方法。
【請求項２】
前記本人確認画像は、ユーザの本人確認書類の動画像を含み、
前記受信ステップは、さらに、
前記ユーザにより入力された前記ユーザの属性情報を、前記第１情報処理装置から受信
するステップを含み、
前記認証ステップは、さらに、
受信した前記ユーザの本人確認書類の動画像に含まれる前記ユーザの属性情報と、受信
した前記ユーザの属性情報との比較結果に基づいて、前記ユーザの本人認証を行うステッ
プをさらに含む、
請求項１に記載の情報処理方法。
【請求項３】
前記本人確認画像は、ユーザの顔を含む動画像を含み、
前記認証ステップは、さらに、
受信した前記ユーザの本人確認書類の動画像に含まれる顔部分の動画像と、受信した前
記ユーザの顔の動画像との比較結果に基づいて、前記ユーザの本人認証を行うステップを
さらに含む、
請求項２に記載の情報処理方法。
【請求項４】
前記受信ステップは、撮影時の時刻が更に付加された前記ユーザの本人確認書類の動画
像と、撮影時の時刻が更に付加された前記ユーザの顔の動画像とを受信し、
前記認証ステップは、更に、現在時刻と、前記ユーザの本人確認書類の動画像に付与さ
れた時刻と、前記ユーザの顔の動画像に付与された時刻とが所定の範囲内である場合に、
前記ユーザの本人認証を行う、
請求項３に記載の情報処理方法。
【請求項５】
第１情報処理装置に、
ユーザの操作に応答して、ユーザの本人確認画像を撮影し、撮影した前記ユーザの本人
確認画像に、撮影時の位置を示す位置情報を付加する撮影ステップと、
前記第１情報処理装置の位置情報を取得する取得ステップと、
取得した前記第１情報処理装置の位置情報と、撮影時の位置情報が付加された前記ユー
ザの本人確認書類の動画像とを、第２情報処理装置に送信する送信ステップと、
を実行させるプログラム。
【請求項６】
前記撮影ステップは、撮影した前記ユーザの本人確認画像に、更に撮影時の時刻を付加
し、
前記送信ステップは、更に撮影時の時刻が付加された前記ユーザの本人確認画像を、第
２情報処理装置に送信する、
請求項５に記載のプログラム。
【請求項７】
第１情報処理装置と通信する第２情報処理装置として動作する情報処理装置であって、
前記第１情報処理装置の位置情報と、撮影時の位置情報が付加されたユーザの本人確認
画像を、前記第１情報処理装置から受信する受信部と、
前記第１情報処理装置の位置情報と、前記ユーザの本人確認画像に付与された位置情報
とが所定の範囲内である場合に、前記本人確認画像を前記ユーザの本人認証の少なくとも
一部として承認する認証部と、を含む情報処理装置。
【請求項８】
第１情報処理装置と通信する第２情報処理装置に、
前記第１情報処理装置の位置情報と、撮影時の位置情報が付加されたユーザの本人確認
画像を、前記第１情報処理装置から受信する受信ステップと、
前記第１情報処理装置の位置情報と、前記ユーザの本人確認画像に付与された位置情報
とが所定の範囲内である場合に、前記本人確認画像を前記ユーザの本人認証の少なくとも
一部として承認する認証ステップと、を実行させるプログラム。
【請求項９】
情報処理装置であって、
ユーザの操作に応答して、ユーザの本人確認画像を撮影し、撮影した前記ユーザの本人
確認画像に、撮影時の位置を示す位置情報を付加する撮影部と、
当該情報処理装置の位置情報を取得する取得部と、
取得した当該情報処理装置の位置情報と、撮影時の位置情報が付加された前記ユーザの
本人確認書類の動画像とを、他の情報処理装置に送信する送信部と、を有する情報処理装
置。
【請求項１０】
第１情報処理装置が実行する情報処理方法であって、
ユーザの操作に応答して、ユーザの本人確認画像を撮影し、撮影した前記ユーザの本人
確認画像に、撮影時の位置を示す位置情報を付加する撮影ステップと、
前記第１情報処理装置の位置情報を取得する取得ステップと、
取得した前記第１情報処理装置の位置情報と、撮影時の位置情報が付加された前記ユー
ザの本人確認書類の動画像とを、第２情報処理装置に送信する送信ステップと、を含む情
報処理方法。
【発明の詳細な説明】
【技術分野】
【０００１】
本開示は、プログラム、情報処理方法、情報処理装置に関する。
【背景技術】
【０００２】
近年、Ｆｉｎｔｅｃｈと呼ばれる、ＩＣＴを利用した金融サービスが発展している。Ｆ
ｉｎｔｅｃｈサービスの一例としては、例えば、家計簿や帳簿等を自動的に作成すること
で家計や企業の資産管理を行うサービス、資産運用を行うサービス、仮想通貨の取引を行
うサービス、ＱＲコード（登録商標）等による決済手段を提供するサービス等が挙げられ
る。
【０００３】
これらのサービスを提供する事業者は、不正行為等が行われることを未然に防止するた
めに、サービスの利用を希望する者の本人確認を行うことが義務づけられている。例えば
、特許文献１には、複数の身分証明書を対応づけて画面に表示することで、申請者の本人
確認を容易にするための技術が開示されている。
【先行技術文献】
【特許文献】
【０００４】
【特許文献１】特開２０１６−１５７４３９号公報
【発明の概要】
【発明が解決しようとする課題】
【０００５】
現状、決済など資金のやり取りを扱う一部のサービスでは、ユーザからオンラインで提
出された身分証明書の画像を確認することのみならず、申し込み書類をユーザの自宅に郵
送する等の手段を併用することで、本人確認を厳格に行うようにしている。しかしながら
、今後のサービスの発展を考慮すると、郵送等の手段に頼らずに本人確認をオンラインで
完結できるようにすることが望ましい。
【０００６】
本人確認をオンラインで行う場合、加工等が行われた不正な画像データが提出される可
能性がある。このような不正を防止するためには、オンラインで提出された画像データが
、使いまわした画像ではなくその場で撮影されたものであること（ＬＩＶＥ性）を担保で
きるようにする仕組みが必要になると考えられる。
【０００７】
しかしながら、特許文献１には、申請者の本人確認を容易にするための技術は開示され
ているが、本人確認に用いる画像がその場で撮影されたものであることを担保する技術は
記載されていない。
【０００８】
本開示は、本人確認時にオンラインで提出される画像が、その場で撮影されたものであ
ることを担保することが可能な技術を提供することを目的とする。
【課題を解決するための手段】
【０００９】
本開示の一実施形態に係る情報処理方法は、第１情報処理装置と通信する第２情報処理
装置が実行する情報処理方法であって、第１情報処理装置の位置情報と、撮影時の位置情
報が付加されたユーザの本人確認画像を、第１情報処理装置から受信する受信ステップと
、第１情報処理装置の位置情報と、ユーザの本人確認画像に付与された位置情報とが所定
の範囲内である場合に、本人確認画像をユーザの本人認証の少なくとも一部として承認す
る認証ステップと、を含む。
【図面の簡単な説明】
【００１０】
【図１】図１は、実施形態の一態様に係る通信システムの構成を示す。
【図２】図２は、本開示に係る情報処理装置のハードウェア構成の一例を示す。
【図３】図３は、第１実施形態に係る情報処理装置の機能的な構成を示すブロック図の一例を示す。
【図４】図４は、第１実施形態に係る情報処理装置の機能的な構成を示すブロック図の一例を示す。
【図５】図５は、第１実施形態に係る通信システム１が行う処理を示すシーケンスの一例を示す。
【図６】図６は、第１実施形態に係る通信システム１が行う処理を示すシーケンスの一例を示す。
【図７】図７は、第１実施形態に係る情報処理装置の撮影画面に表示される身分証明書の撮影ガイドの一例を示す。
【図８】図８は、第１実施形態に係る情報処理装置の撮影画面に表示される身分証明書の撮影ガイドの一例を示す。
【図９】図９は、第２実施形態に係る情報処理装置の撮影画面に表示される顔の撮影ガイドの一例を示す
【図１０】図１０は、第２実施形態に係る情報処理装置の撮影画面に表示される顔の撮影ガイドの一例を示す
【図１１】図１１は、第３実施形態に係る情報処理装置の撮影画面に表示される身分証明書の側面の撮影ガイドの一例を示す。
【図１２】図１２は、第３実施形態に係る情報処理装置の撮影画面に表示される身分証明書の側面の撮影ガイドの一例を示す。
【図１３】図１３は、第３実施形態に係る情報処理装置の機能的な構成を示すブロック図の一例を示す。
【図１４】図１４は、第４実施形態に係る通信システムの処理のシーケンスの一例を示す。
【図１５】図１５は、第５実施形態に係る通信システムの処理のシーケンスの一例を示す。
【発明を実施するための形態】
【００１１】
＜法令遵守＞
本明細書に記載の開示は、実施される場合、本開示を実施する各国の法令を遵守のうえ
で実施される。また、本明細書に記載の開示は、各国の法令を遵守するために必要な、当
業者が成し得る全ての変更、置換、変形、改変、および修正をもって実施される。
【００１２】
本開示に係る通信システム１を実施するための形態について、図面を参照して説明する
。
【００１３】
＜システム構成＞
図１は、本開示の一実施形態に係る通信システム１の構成を示す。図１に開示されるよ
うに、通信システム１では、ネットワーク１３０を介してサーバ１１０Ａ、サーバ１１０
Ｂと、端末１２０Ａ、端末１２０Ｂ、端末１２０Ｃとが接続される。
【００１４】
本開示において、サーバ１１０Ａと、サーバ１１０Ｂとをそれぞれ区別する必要がない
場合は、サーバ１１０Ａとサーバ１１０Ｂとは、それぞれサーバ１１０と表現されてもよ
い。
【００１５】
本開示において、端末１２０Ａと、端末１２０Ｂと、端末１２０Ｃとをそれぞれ区別す
る必要がない場合は、端末１２０Ａと端末１２０Ｂと端末１２０Ｃとは、それぞれ端末１
２０と表現されてもよい。
【００１６】
本開示において、サーバ１１０と、端末１２０とをそれぞれ区別する必要がない場合は
、サーバ１１０と端末１２０とは、それぞれ情報処理装置２００と表現されてもよい。な
お、ネットワーク１３０に接続される情報処理装置２００の数は限定されない。
【００１７】
サーバ１１０は、ネットワーク１３０を介してユーザが利用する端末１２０に、所定の
サービスを提供する。所定のサービスは、限定でなく例として、決済サービス、電子商取
引サービス、インスタントメッセンジャーを代表とするSNS（Social Networking Service
）、楽曲・動画・書籍などのコンテンツ提供サービス、金融サービス等を含む。ユーザが
端末１２０を介して所定のサービスを利用することで、サーバ１１０は１以上の端末１２
０に所定のサービスを提供することができる。
【００１８】
必要に応じて、ユーザＸが利用する端末を端末１２０Ｘと表現し、ユーザＸまたは端末
１２０Ｘに対応づけられた、所定のサービスにおけるユーザ情報をユーザ情報Ｘと表現す
る。なお、ユーザ情報とは、所定のサービスにおいてユーザが利用するアカウントに対応
付けられたユーザの情報である。ユーザ情報は、限定でなく例として、ユーザにより入力
される、または、所定のサービスにより付与される、ユーザの名前、ユーザのアイコン画
像、ユーザの年齢、ユーザの性別、ユーザの住所、ユーザの趣味趣向、ユーザの識別子な
どのユーザに対応づけられた情報を含み、これらのいずれか一つまたは、組み合わせであ
ってもよい。
【００１９】
ネットワーク１３０は、２以上の情報処理装置２００を接続する役割を担う。ネットワ
ーク１３０は、端末１２０がサーバ１１０に接続した後、データを送受信することができ
るように接続経路を提供する通信網を意味する。
【００２０】
ネットワーク１３０のうちの１つまたは複数の部分は、有線ネットワークや無線ネット
ワークであってもよい。ネットワーク１３０は、限定でなく例として、アドホック・ネッ
トワーク（Ad Hoc Network）、イントラネット、エクストラネット、仮想プライベート・
ネットワーク（Virtual Private Network：ＶＰＮ）、ローカル・エリア・ネットワーク
（Local Area Network：ＬＡＮ）、ワイヤレスＬＡＮ（Wireless LAN：ＷＬＡＮ）、広域
ネットワーク（Wide Area Network：ＷＡＮ）、ワイヤレスＷＡＮ（Wireless WAN：ＷＷ
ＡＮ）、大都市圏ネットワーク（Metropolitan Area Network：ＭＡＮ）、インターネッ
トの一部、公衆交換電話網（Public Switched Telephone Network：ＰＳＴＮ）の一部、
携帯電話網、ＩＳＤＮｓ（Integrated Service Digital Networks）、無線ＬＡＮｓ、Ｌ
ＴＥ（Long Term Evolution）、ＣＤＭＡ（Code Division Multiple Access）、ブルート
ゥース（Bluetooth（登録商標））、衛星通信など、または、これらの２つ以上の組合せ
を含むことができる。ネットワーク１３０は、１つまたは複数のネットワーク１３０を含
むことができる。
【００２１】
情報処理装置２００は、本開示に記載される機能、および／または、方法を実現できる
情報処理装置であればどのような情報処理装置であってもよい。
【００２２】
情報処理装置２００は、限定ではなく例として、スマートフォン、携帯電話（フィーチ
ャーフォン）、コンピュータ（限定でなく例として、デスクトップ、ラップトップ、タブ
レットなど）、サーバ装置、メディアコンピュータプラットホーム（限定でなく例として
、ケーブル、衛星セットトップボックス、デジタルビデオレコーダなど）、ハンドヘルド
コンピュータデバイス（限定でなく例として、ＰＤＡ（Personal Digital Assistant）、
電子メールクライアントなど）、ウェアラブル端末（限定でなく例として、メガネ型デバ
イス、時計型デバイスなど）、他種のコンピュータ、またはコミュニケーションプラット
ホームを含む。
【００２３】
＜ハードウェア（ＨＷ）構成＞
図２を用いて、通信システム１に含まれる情報処理装置２００のＨＷ構成について説明
する。
【００２４】
情報処理装置２００は、プロセッサ２０１と、メモリ２０２と、ストレージ２０３と、
入出力インタフェース（入出力Ｉ／Ｆ）２０４と、通信インタフェース（通信Ｉ／Ｆ）２
０５とを含む。情報処理装置２００のＨＷの各構成要素は、限定でなく例として、バスＢ
を介して相互に接続される。
【００２５】
情報処理装置２００は、プロセッサ２０１と、メモリ２０２と、ストレージ２０３と、
入出力Ｉ／Ｆ２０４と、通信Ｉ／Ｆ２０５との協働により、本開示に記載される機能、お
よび／または、方法を実現する。
【００２６】
プロセッサ２０１は、ストレージ２０３に記憶されるプログラムに含まれるコードまた
は命令によって実現する機能、および／または、方法を実行する。プロセッサ２０１は、
限定でなく例として、中央処理装置（ＣＰＵ）、ＭＰＵ（Micro Processing Unit）、Ｇ
ＰＵ（Graphic s Processing Unit）、マイクロプロセッサ（microprocessor）、プロセ
ッサコア（processor core）、マルチプロセッサ（multiprocessor）、ＡＳＩＣ（Applic
ation-Specific Integrated Circuit）、ＦＰＧＡ（Field Programmable Gate Array）等
を含み、集積回路（ＩＣ（Integrated Circuit）チップ、ＬＳＩ（Large Scale Integrat
ion））等に形成された論理回路（ハードウェア）や専用回路によって各実施形態に開示
される各処理を実現してもよい。また、これらの回路は、１または複数の集積回路により
実現されてよく、各実施形態に示す複数の処理を１つの集積回路により実現されることと
してもよい。また、ＬＳＩは、集積度の違いにより、ＶＬＳＩ、スーパーＬＳＩ、ウルト
ラＬＳＩなどと呼称されることもある。
【００２７】
メモリ２０２は、ストレージ２０３からロードしたプログラムを一時的に記憶し、プロ
セッサ２０１に対して作業領域を提供する。メモリ２０２には、プロセッサ２０１がプロ
グラムを実行している間に生成される各種データも一時的に格納される。メモリ２０２は
、限定でなく例として、ＲＡＭ（Random Access Memory）、ＲＯＭ（Read Only Memory）
などを含む。
【００２８】
ストレージ２０３は、プログラムを記憶する。ストレージ２０３は、限定でなく例とし
て、ＨＤＤ（Hard Disk Drive）、ＳＳＤ（Solid State Drive）、フラッシュメモリなど
を含む。
【００２９】
通信Ｉ／Ｆ２０５は、ネットワーク１３０を介して各種データの送受信を行う。当該通
信は、有線、無線のいずれで実行されてもよく、互いの通信が実行できるのであれば、ど
のような通信プロトコルを用いてもよい。通信Ｉ／Ｆ２０５は、ネットワーク１３０を介
して、他の情報処理装置との通信を実行する機能を有する。通信Ｉ／Ｆ２０５は、各種デ
ータをプロセッサ２０１からの指示に従って、他の情報処理装置に送信する。また、通信
Ｉ／Ｆ２０５は、他の情報処理装置から送信された各種データを受信し、プロセッサ２０
１に伝達する。
【００３０】
入出力Ｉ／Ｆ２０４は、情報処理装置２００に対する各種操作を入力する入力装置、お
よび、情報処理装置２００で処理された処理結果を出力する出力装置を含む。入出力Ｉ／
Ｆ２０４は、入力装置と出力装置が一体化していてもよいし、入力装置と出力装置とに分
離していてもよい。
【００３１】
入力装置は、ユーザからの入力を受け付けて、当該入力に係る情報をプロセッサ２０１
に伝達できる全ての種類の装置のいずれか、または、その組み合わせにより実現される。
入力装置は、限定でなく例として、タッチパネル、タッチディスプレイ、キーボード等の
ハードウェアキーや、マウス等のポインティングデバイス、カメラ（画像を介した操作入
力）、マイク（音声による操作入力）を含む。
【００３２】
出力装置は、プロセッサ２０１で処理された処理結果を出力することができる全ての種
類の装置のいずれか、または、その組み合わせにより実現される。当該処理結果を映像、
および／または、動画像として出力する場合、出力装置は、フレームバッファに書き込ま
れた表示データに従って、当該表示データを表示することができる全ての種類の装置のい
ずれかまたはその組み合わせにより実現される。出力装置は、限定でなく例として、タッ
チパネル、タッチディスプレイ、モニタ（限定でなく例として、液晶ディスプレイ、ＯＥ
ＬＤ（Organic Electroluminescence Display）など）、ヘッドマウントディスプレイ（
ＨＤＭ：Head Mounted Display）、プロジェクションマッピング、ホログラム、空気中な
ど（真空であってもよい）に画像やテキスト情報等を表示可能な装置、スピーカ（音声出
力）、プリンターなどを含む。なお、これらの出力装置は、３Ｄで表示データを表示可能
であってもよい。
【００３３】
本開示の各実施形態のプログラムは、コンピュータに読み取り可能な記憶媒体に記憶さ
れた状態で提供されてもよい。記憶媒体は、「一時的でない有形の媒体」に、プログラム
を記憶可能である。プログラムは、限定でなく例として、ソフトウェアプログラムやコン
ピュータプログラムを含む。
【００３４】
記憶媒体は適切な場合、１つまたは複数の半導体ベースの、または他の集積回路（ＩＣ
）（限定でなく例として、フィールド・プログラマブル・ゲート・アレイ（ＦＰＧＡ）、
特定用途向けＩＣ（ＡＳＩＣ）など）、ハード・ディスク・ドライブ（ＨＤＤ）、ハイブ
リッド・ハード・ドライブ（ＨＨＤ）、光ディスク、光ディスクドライブ（ＯＤＤ）、光
磁気ディスク、光磁気ドライブ、フロッピィ・ディスケット、フロッピィ・ディスク・ド
ライブ（ＦＤＤ）、磁気テープ、固体ドライブ（ＳＳＤ）、ＲＡＭドライブ、セキュア・
デジタル・カードもしくはドライブ、任意の他の適切な記憶媒体、またはこれらの２つ以
上の適切な組合せを含むことができる。記憶媒体は、適切な場合、揮発性、不揮発性、ま
たは揮発性と不揮発性の組合せでよい。
【００３５】
また、本開示のプログラムは、当該プログラムを伝送可能な任意の伝送媒体（通信ネッ
トワークや放送波等）を介して、情報処理装置２００に提供されてもよい。
【００３６】
また、本開示の各実施形態は、プログラムが電子的な伝送によって具現化された、搬送
波に埋め込まれたデータ信号の形態でも実現され得る。
【００３７】
なお、本開示のプログラムは、限定でなく例として、ＡｃｔｉｏｎＳｃｒｉｐｔ、Ｊａ
ｖａＳｃｒｉｐｔ（登録商標）などのスクリプト言語、Ｊｅｃｔｉｖｅ−Ｃ、Ｊａｖａ（
登録商標）などのオブジェクト指向プログラミング言語、ＨＴＭＬ５などのマークアップ
言語などを用いて実装される。
【００３８】
情報処理装置２００おける処理の少なくとも一部は、１以上のコンピュータにより構成
されるクラウドコンピューティングにより実現されていてもよい。
【００３９】
情報処理装置２００における処理の少なくとも一部を、他の情報処理装置により行う構
成としてもよい。この場合、プロセッサ２０１により実現される各機能部の処理のうち少
なくとも一部の処理を、他の情報処理装置で行う構成としてもよい。
【００４０】
＜その他＞
明示的な言及のない限り、本開示の実施形態における判定の構成は必須でなく、判定条
件を満たした場合に所定の処理が動作されたり、判定条件を満たさない場合に所定の処理
がされたりしてもよい。
【００４１】
本開示では、明記されない限り、または文脈によって示されない限り、「または」は排
他的ではなく包含的な意味である。したがって、本開示では、明記されていない限り、ま
たは文脈によって示されない限り、「ＡまたはＢ」は「Ａ、Ｂ、またはその両方」を意味
する。さらに、明記されない限り、または文脈によって示されない限り、「および」は協
同（ｊｏｉｎｔ）および個々（ｓｅｖｅｒａｌ）の両方の意味である。したがって、本明
細書では、明記されない限り、または文脈によって 示されない限り、「ＡおよびＢ」は
、「ＡおよびＢが一緒に、または個別に（Ａ  ａｎｄ  Ｂ、  ｊｏｉｎｔｌｙ  ｏｒ  ｓ
ｅｖｅｒａｌｌｙ）」を意味する。さらに、明記されない限り、または文脈によって示さ
れない限り、「ａ」、「ａｎ」、または「ｔｈｅ」は「１つまたは複数」を意味するもの
とする。したがって、本明細書では、別段に明記されない限り、または文脈によって示さ
れない限り、「ａｎ  Ａ」または「ｔｈｅ  Ａ」は「１つまたは複数のＡ」を意味する。
【００４２】
本開示は、本開示の実施形態、および／または、実施例に対して、当業者が成し得る全
ての変更、置換、変形、改変、および修正を包含する。同様に、適切な場合、添付の特許
請求の範囲は、本開示の実施形態、および／または、実施例に対して、当業者が成し得る
全ての変更、置換、変形、改変、および修正を包含する。さらに、本開示は、当業者が成
し得る、本開示における実施形態、および／または、実施例の１つまたは複数の特徴と、
本開示における他の実施形態、および／または、実施例の１つまたは複数の特徴との任意
の組合せを包含する。
【００４３】
加えて、特定の機能を実施するように適合される、配置される、能力を有する、構成さ
れる、使用可能である、動作可能である、または動作できる装置またはシステムあるいは
装置またはシステムの構成要素に対する添付の特許請求の範囲での参照は、その装置、シ
ステム、または構成要素がそのように適合される、配置される、能力を有する、構成され
る、使用可能にされる、動作可能にされる、または動作できる限り、その装置、システム
、構成要素またはその特定の機能がアクティベートされ、オンにされ、またはロック解除
されているか否かに関わらず、その装置、システム、構成要素を包含する。
【００４４】
＜第１実施形態＞
第１実施形態は、身分証明書（本人確認書類）の画像及びユーザの顔の画像を用いてユ
ーザの本人確認処理を行う場合に、身分証明書の画像の撮影方法をその場で指示すること
で、オンラインでアップロードされた画像がその場で撮影されたものであること（ライブ
性）を担保する実施形態である。
【００４５】
第１実施形態において、サーバ１１０が提供する所定のサービスでは、サービスの利用
申し込み時等のタイミングでオンラインによる本人確認及びライブ性の確認が行われ、本
人であることが認証された場合に、所定のサービスの利用が許可される。サーバ１１０は
、サービスの利用申し込み時等を受けた場合、ユーザの身分証明書を撮影した画像、及び
ユーザの顔を撮影した画像をオンラインで提出するようにユーザに要求する。要求を受け
たユーザは、端末１２０が備えるカメラを用いて、身分証明書及び自身の顔の撮影を行う
。端末１２０は、撮影された画像をサーバ１１０に送信し、サーバ１１０は、受信した画
像を解析することで本人確認及びライブ性の確認を行う。
【００４６】
このとき、端末１２０は、身分証明書の撮影を行う画面に、身分証明書の撮影方法を指
示する撮影ガイド（以下、「身分証明書の撮影ガイド」と言う。）を表示する。身分証明
書の撮影方法には、撮影画像の枠内における身分証明書の位置や身分証明書の保持方法な
どが含まれる。身分証明書の撮影ガイドは、ユーザが身分証明書の画像を撮影する度に変
更される。なお、撮影ガイドの具体例は後述するが、撮影ガイドは、身分証明書とユーザ
の身体における身分証明書を保持する部位との位置関係を示すものと定義されてもよい。
【００４７】
サーバ１１０は、オンラインで提出された身分証明書の画像が、指示された撮影ガイド
に従って撮影された画像であるか否かを画像処理により確認することで、撮影された画像
がその場で撮影された画像であるのか否かを判別する。指示された撮影ガイドに従って撮
影された画像である場合、当該画像はその場で撮影された画像であることが担保される。
【００４８】
本人確認処理に用いられる身分証明書は、本人であることを確認し得る媒体であればよ
い。身分証明書は、限定でなく例として、運転免許証、パスポート（旅券）、住民基本台
帳カード、マイナンバーカード及び健康保険被保険者証等を含むが、公的な証明書に限定
されるものではない。
【００４９】
第１実施形態によれば、身分証明書の撮影ガイドは、ユーザが身分証明書の画像を撮影
する度に変更される。つまり、ユーザは、オンラインで提出する画像を事前に撮影してお
いて後日提出するといった行為や、事前に撮影した画像を加工して提出するといった行為
を行うことが困難になる。すなわち、第１実施形態によれば、オンラインで提出される画
像が、その場で撮影されたものであること（ライブ性）を担保することが可能になるとい
う効果が得られる。また、ユーザに指示する身分証明書の撮影ガイドの選択をサーバ１１
０又は端末１２０が行うことになるので、ユーザに指示する撮影ガイドのランダム性を担
保することができ、本人確認及びライブ性確認を行う際の確認精度を高めることが可能に
なるという効果が得られる。
【００５０】
また、第１実施形態によれば、身分証明書の画像と顔の画像とを別個の画像とするため
、１枚の画像の中で身分証明書と顔の両方にフォーカスを合わせることが困難になるとい
う問題を回避することが可能になる。
【００５１】
＜第１実施形態の機能構成＞
図３を用いてサーバ１１０の機能構成を説明する。図３に開示の機能部は、情報処理装
置２００が備えるプロセッサ２０１と、メモリ２０２と、ストレージ２０３と、入出力Ｉ
／Ｆ２０４と、通信Ｉ／Ｆ２０５との協働により実現される。
【００５２】
サーバ１１０は、入出力部３１１と、通信部３１２と、記憶部３１７選択部３１３と、
撮影ガイド送信部３１４と、画像受信部３１５と、認証部３１６と、記憶部３１７とを有
する。入出力部３１１と、通信部３１２と、選択部３１３と、撮影ガイド送信部３１４と
、画像受信部３１５と、認証部３１６とは、プロセッサ２０１が、記憶部３１７に格納さ
れているプログラムを読み出して実行することで実現される。記憶部３１７は、メモリ２
０２及び／又はストレージ２０３を用いて実現される。
【００５３】
入出力部３１１は、入出力Ｉ／Ｆ２０４を介して各種データの入力を受け付ける処理、
及び、入出力Ｉ／Ｆ２０４を介して各種のデータを出力する処理を行う機能を有する。
【００５４】
通信部３１２は、通信Ｉ／Ｆ２０５を介して端末１２０から各種データを受信する処理
、及び、通信Ｉ／Ｆ２０５を用いて各種のデータを端末１２０に送信する処理を行う機能
を有する。
【００５５】
選択部３１３は、端末１２０の画面に表示すべき身分証明書の撮影ガイドを、複数のバ
リエーション（パターン）の中から選択する機能を有する。
【００５６】
撮影ガイド送信部３１４は、選択部３１３で選択された端末１２０の画面に表示すべき
身分証明書の撮影ガイドを端末１２０に指示する情報（以下、「撮影ガイド指示情報」と
言う。）を、端末１２０に送信する機能を有する。
【００５７】
画像受信部３１５は、端末１２０で撮影された、ユーザの身分証明書の画像と、ユーザ
の顔の画像と、端末１２０の画面にてユーザにより入力されたユーザの属性情報（氏名、
住所、生年月日等）とを、端末１２０から受信する機能を有する。
【００５８】
認証部３１６は、画像受信部３１５で受信した、ユーザの身分証明書の画像と、ユーザ
の顔の画像と、ユーザの属性情報とを用いて、ユーザの本人確認及びライブ性確認を行う
機能を有する。なお、以下の説明では、ユーザの本人確認及びライブ性確認を、まとめて
「本人認証」と呼ぶことがある。
【００５９】
より具体的には、認証部３１６は、
１．身分証明書の撮影ガイドで指示した身分証明書の位置及び身分証明書の保持方法と、
画像受信部３１５で受信したユーザの身分証明書の画像に写っている身分証明書の位置及
び身分証明書の保持方法とを比較した結果、
２．画像受信部３１５で受信したユーザの身分証明書の画像に含まれる顔部分の画像と、
受信したユーザの顔の画像とを比較した結果、及び、
３．画像受信部３１５で受信したユーザの身分証明書の画像に含まれるユーザの属性情報
と、受信したユーザの属性情報とを比較した結果
に基づいて、ユーザの本人確認及びライブ性確認を行う。
【００６０】
なお、認証部３１６は、自らユーザの本人確認及びライブ性確認を行うのではなく、サ
ーバ１１０の管理者等が行った本人確認及びライブ性確認の結果を取得するようにしても
よい。
【００６１】
記憶部３１７は、第１の実施形態に係るサーバ１１０が実行するプログラムを格納する
。
【００６２】
図４を用いて端末１２０の機能構成を説明する。図４に開示の機能部は、情報処理装置
２００が備えるプロセッサ２０１と、メモリ２０２と、ストレージ２０３と、入出力Ｉ／
Ｆ２０４と、通信Ｉ／Ｆ２０５との協働により実現される。
【００６３】
端末１２０は、入力部３２１と、通信部３２２と、表示制御部３２３と、撮影部３２４
と、認証部３２５と、記憶部３２６とを有する。入力部３２１と、通信部３２２と、表示
制御部３２３と、撮影部３２４と、認証部３２５とは、プロセッサ２０１が、記憶部３２
６に格納されているプログラムを読み出して実行することで実現される。記憶部３２６は
、メモリ２０２及び／又はストレージ２０３を用いて実現される。
【００６４】
入力部３２１は、入出力Ｉ／Ｆ２０４を介して各種の入力を受け付ける処理を行う機能
を有する。例えば、入力部３２１は、端末１２０が備えるタッチパネル等を介してユーザ
の属性情報の入力等を受け付ける。
【００６５】
通信部３２２は、通信Ｉ／Ｆ２０５を介してサーバ１１０から各種データを受信する処
理、及び、通信Ｉ／Ｆ２０５を用いて各種のデータをサーバ１１０に送信する処理を行う
機能を有する。また、通信部３２２は、撮影ガイド指示情報を、サーバ１１０から受信す
る機能を有する。また、通信部３２２は、撮影部３２４で撮影した、ユーザの身分証明書
の画像と、ユーザの顔の画像と、入力部３２１で受け付けたユーザの属性情報とをサーバ
１１０に送信する機能を有する。
【００６６】
表示制御部３２３は、端末１２０が備えるカメラ（撮影装置）から出力された、撮影領
域を示す画像（撮影領域の画像又は撮影画面と称してもよい）に表示すると共に、サーバ
１１０から撮影ガイド指示情報により指示された身分証明書の撮影ガイドを、当該撮影領
域を示す画像に重ねて表示する機能を有する。
【００６７】
なお、具体的には後述するが、第１実施形態では、端末１２０の画面に表示する身分証
明書の撮影ガイドを、サーバ１１０が選択するのではなく端末１２０が自ら選択するよう
にしてもよい。この場合、表示制御部３２３は、身分証明書の撮影ガイドを、複数のバリ
エーション（パターン）の中から所定の選択ロジックに従って選択するようにしてもよい
。
【００６８】
撮影部３２４は、ユーザの操作に応答して、ユーザの身分証明書の画像と、ユーザの顔
の画像とを、端末１２０が備えるカメラを用いて撮影する機能を有する。
【００６９】
認証部３２５は、撮影ガイド指示情報と、撮影部３２４で撮影されたユーザの身分証明
書の画像及びユーザの顔の画像と、入力部３２１に入力されたユーザの属性情報とを用い
て、ユーザの本人確認及びライブ性確認を行う機能を有する。なお、具体的には後述する
が、認証部３２５は、端末１２０が自らユーザの本人確認処理及びライブ性確認処理を行
う場合に必要になる機能部である。そのため、端末１２０が自らユーザの本人確認処理及
びライブ性確認処理を行わない場合、認証部３２５は不要である。
【００７０】
記憶部３２６は、第１の実施形態に係る端末１２０が実行するプログラムを格納する。
また、サーバ１１０から受信した、撮影ガイド指示情報を一時的に格納する。
【００７１】
＜第１実施形態の動作処理＞
図５を参照し、第１実施形態に係る通信システム１の処理について説明する。図５は、
第１実施形態に係る通信システム１が行う処理を示すシーケンスの一例を示す。
【００７２】
ここで、撮影する身分証明書の画像は、身分証明書の本人写真ページの画像及び身分証
明書の側面の画像の２種類であってもよい。例えばパスポートのように、特定のページに
本人写真が掲載されているような身分証明書に対応することができる。また、撮影する身
分証明書の画像は、身分証明書の表面の画像及び身分証明書の側面の画像の２種類であっ
てもよい。例えば表面のみに情報が記載されるような身分証明書に対応することができる
。また、撮影する身分証明書の画像は、身分証明書の表面の画像、身分証明書の裏面の画
像及び身分証明書の側面の画像の３種類であってもよい。例えば運転免許証や住民基本台
帳カードのように、表面及び裏面の両方に情報が記載されるような身分証明書に対応する
ことができる。
【００７３】
以下の説明では、撮影する身分証明書の画像は、身分証明書の表面の画像、身分証明書
の裏面の画像及び身分証明書の側面の画像の３種類である前提とする。また、同様に、身
分証明書の撮影ガイドには、身分証明書の表面の撮影ガイド、身分証明書の撮影ガイドの
裏面の撮影ガイド、及び、身分証明書の裏面の撮影ガイドを含むものとする。
【００７４】
ステップＳ１００で、端末１２０の入力部３２１は、端末１２０が備えるタッチパネル
等を介して、ユーザの氏名、住所、生年月日等のユーザの属性情報の入力を受け付ける。
なお、入力部３２１は、更に、ユーザの身体的特徴（利き手、手のサイズ、手や指の欠損
有無など）の入力を受け付けるようにしてもよい。
【００７５】
ステップＳ１０１で、端末１２０の表示制御部３２３は、サーバ１１０に対して、撮影
ガイド指示情報の送信を要求する。なお、ステップＳ１００にてユーザの身体的特徴の入
力を受け付けた場合、表示制御部３２３は、入力されたユーザの身体的特徴もサーバ１１
０に送信する。
【００７６】
ステップＳ１０２で、サーバ１１０の選択部３１３は、端末１２０に指示する身分証明
書（表面、裏面、側面）の撮影ガイドを、複数のバリエーションの中から所定の選択ロジ
ックに従って選択する。選択部３１３は、限定ではなく例として、端末１２０に指示する
身分証明書の撮影ガイドを、それぞれ複数のバリエーションの中からランダムに選択して
もよいし、現在の環境情報（日付、時刻、天気、端末１２０の位置情報等）に基づいて選
択するようにしてもよい。例えば、日付ごと（又は、時間ごと、天気ごと、地域ごと）に
端末１２０に指示する撮影ガイドが予め定められており、選択部３１３は、現在の日付（
又は、現在の時刻、天気、端末１２０がいる地域）に対応する撮影ガイドを、端末１２０
に指示する撮影ガイドとして選択するようにしてもよい。
【００７７】
また、選択部３１３は、端末１２０から受信した、ユーザの身体的特徴に基づいて、端
末１２０に指示する身分証明書の撮影ガイドを選択するようにしてもよい。例えば、手の
サイズが小さいユーザであれば、手のひらを使用する撮影ガイドの中から端末１２０指示
する撮影ガイドを選択するようにしてもよい。又は、ユーザの利き手を使用する撮影ガイ
ドの中から端末１２０に指示する撮影ガイドを選択するようにしてもよい。
【００７８】
ステップＳ１０３で、サーバ１１０の撮影ガイド送信部３１４は、ステップＳ１０２の
処理手順で選択された身分証明書の撮影ガイドを指示する撮影ガイド指示情報を、端末１
２０に送信する。
【００７９】
ステップＳ１０４で、端末１２０の表示制御部３２３は、サーバ１１０から指示された
身分証明書の表面の撮影ガイドを、カメラの出力画像を表示する撮影画面に重ねて表示す
る。ユーザは、撮影画面に表示されている撮影ガイドに身分証明書の表面が重なるように
カメラの位置を調整するとともに、撮影ガイドで指示されたとおりに身分証明書を保持す
る。撮影部３２４は、シャッターボタンが押下（又はタッチ）されたタイミングで、身分
証明書の表面の画像を撮影する。
【００８０】
ステップＳ１０５で、端末１２０の表示制御部３２３は、サーバ１１０から指示された
身分証明書の裏面の撮影ガイドを、カメラの出力画像を表示する撮影画面に重ねて表示す
る。ユーザは、撮影画面に表示されている撮影ガイドに身分証明書の裏面が重なるように
カメラの位置を調整するとともに、撮影ガイドで指示されたとおりに身分証明書を保持す
る。撮影部３２４は、シャッターボタンが押下（又はタッチ）されたタイミングで、身分
証明書の裏面の画像を撮影する。
【００８１】
ステップＳ１０６で、端末１２０の表示制御部３２３は、サーバ１１０から指示された
身分証明書の側面の撮影ガイドを、カメラの出力画像を表示する撮影画面に重ねて表示す
る。ユーザは、撮影画面に表示されている撮影ガイドに身分証明書の側面が重なるように
カメラの位置を調整するとともに、撮影ガイドで指示されたとおりに身分証明書を保持す
る。撮影部３２４は、シャッターボタンが押下（又はタッチ）されたタイミングで、身分
証明書の側面の画像を撮影する。
【００８２】
ステップＳ１０７で、撮影部３２４は、シャッターボタンが押下（又はタッチ）された
タイミングで、ユーザの顔の画像を撮影する。
【００８３】
ステップＳ１０８で、端末１２０の表示制御部３２３は、撮影された身分証明書の表面
、裏面及び側面の画像とユーザの顔の画像とを画面に表示し、各画像をサーバ１１０に送
信してもよいかの確認をユーザに促す。このとき表示制御部３２３は、ユーザが、撮影さ
れた画像が撮影ガイドに沿って撮影されているかを確認可能するために、撮影された画像
と撮影ガイドとを並べて、又は、撮影された画像の上に撮影ガイドを重ねて表示するよう
にしてもよい。ユーザが送信を許可した場合、ステップＳ１０９の処理手順に進み、ユー
ザが再度の撮影を望む場合、ユーザが希望する画像の撮影が再度行われる。
【００８４】
なお、Ｓ１０４からＳ１０７の処理の実行順は、上述の例に限定されず、任意の順番で
実行されてよい。また、Ｓ１０８の処理は、Ｓ１０４からＳ１０７のそれぞれ処理が行わ
れる度に実行されてもよい。
【００８５】
ステップＳ１０９及びステップＳ１１０の処理手順は、本人確認処理及びライブ性確認
処理をサーバ１１０側で実施する場合の処理手順を示している。ステップＳ１０９で、通
信部３２２は、ステップＳ１００の処理手順で入力されたユーザの属性情報と、身分証明
書の表面、裏面及び側面の画像と、ユーザの顔の画像とをサーバ１１０に送信する。
【００８６】
ステップＳ１１０で、サーバ１１０の認証部３２５は、受信したユーザの属性情報と、
身分証明書の表面、裏面及び側面の画像と、ユーザの顔の画像とを用いてユーザの本人確
認処理及びライブ性確認処理を行う。
【００８７】
まず、認証部３２５は、端末１２０に指示した身分証明書の撮影ガイドにおける身分証
明書の位置及び身分証明書の保持方法と、身分証明書の画像に写っている身分証明書の位
置及び身分証明書の保持方法とを比較することで、撮影された画像が撮影ガイドに沿って
撮影されていることを確認する。
【００８８】
例えば、認証部３２５は、身分証明書の表面（裏面及び側面も同様）の画像を解析する
ことで、画面全体における身分証明書の位置を特定し、特定した位置と、撮影ガイドにお
ける身分証明書の表面の位置とのずれが所定の閾値以下である場合に、身分証明書の表面
の画像の位置は、撮影ガイドに沿っていると判定するようにしてもよい。また、認証部３
２５は、身分証明書の表面の画像を解析することで、画像に写っている身分証明書を保持
する手の形状を特定し、特定した手の形状と、撮影ガイドにおける身分証明書を保持する
手の形状とのずれが所定の閾値以下である場合に、ユーザが撮影した画像に写っている身
分証明書の保持方法は、撮影ガイドに沿っていると判定するようにしてもよい。
【００８９】
次に、認証部３２５は、身分証明書の画像に含まれる顔部分の画像と、ユーザの顔の画
像とを比較し、各々の画像が所定の一致判定基準を満たすことを確認することで、身分証
明書に写っている人物とユーザとが同一人物であることを確認する。例えば、認証部３２
５は、それぞれの画像に写っている顔の特徴量を抽出し、特徴量の差が所定の値以下であ
る場合に、身分証明書に写っている人物とユーザとが同一人物であると判定するようにし
てもよい。
【００９０】
次に、認証部３２５は、身分証明書の画像に含まれるユーザの属性情報と、ユーザが端
末１２０に入力したユーザの属性情報とを比較することで、ユーザが入力した属性情報が
身分証明書の記載事項と一致することを確認する。
【００９１】
例えば、認証部３２５は、身分証明書の画像に写っている文字列を読み取り、読み取っ
た文字列とユーザが入力したユーザの属性情報とが一致する場合に、ユーザが入力した属
性情報が身分証明書の記載事項と一致すると判定するようにしてもよい。一例として、認
証部３２５は、身分証明書に記載されているユーザの氏名や生年月日、住所等と、ユーザ
が入力したこれらのユーザの属性情報とが一致するか否かを判定することができる。
【００９２】
認証部３２５は、"身分証明書の画像が撮影ガイドに沿って撮影されていること"と、"
身分証明書に写っている人物とユーザとが同一人物であること"と、"ユーザが入力した属
性情報が身分証明書の記載事項と一致すること"のすべての項目が確認できた場合に、ユ
ーザがサービス申込者本人であり、かつ画像がその場で撮影されたものである（ライブ性
がある）と判定する。
【００９３】
一方、認証部３２５は、これらのいずれかの項目について確認ができなかった場合、撮
影のやり直しを行うように端末１２０（ユーザ）に指示するようにしてもよい。端末１２
０は、再度撮影された身分証明書の画像又は顔の画像をサーバ１１０に送信し、サーバ１
１０の認証部３２５は、新たに受信した画像を用いて再度本人確認及びライブ性確認をや
り直すようにしてもよい。
【００９４】
若しくは、認証部３２５は、確認できなかった項目については、サーバ１１０の管理者
等に判断を委ねるようにしてもよい。
【００９５】
なお、認証部３２５は、いずれかの項目について確認ができない場合に、撮影のやり直
しを端末１２０に指示した時点から、再度画像を端末１２０から受信するまでの時間が所
定の閾値以上である場合、画像処理による解析を行わずに、本人確認及びライブ性確認に
失敗したと判定し、それ以後の処理（例えばサービス開始手続き等の処理）を中止するよ
うにしてもよい。なお、ステップＳ１１０において本人確認及びライブ性確認が完了した
後、送信された画像は、人によって目視確認が行われることが好ましい。目視確認は、本
人確認及びライブ性確認の失敗・成功を問わず行われることが好ましい。
【００９６】
ステップＳ１１１及びステップＳ１１２の処理手順は、本人確認処理及びライブ性確認
処理をサーバ１１０ではなく端末１２０側で実施する場合の処理手順を示している。本人
確認処理及びライブ性確認処理をサーバ１１０側で実施する場合、ステップＳ１１１及び
ステップＳ１１２の処理手順は省略され、本人確認処理を端末１２０側で実施する場合、
ステップＳ１０９及びステップＳ１１０の処理手順は省略される。
【００９７】
ステップＳ１１１で、端末１２０の認証部３２５が行う本人確認処理及びライブ性確認
処理は、ステップＳ１１０の処理手順でサーバ１１０の認証部３１６が行う本人確認処理
及びライブ性確認処理と同一であるため説明は省略する。
【００９８】
ステップＳ１１２で、端末１２０の通信部３２２は、ステップＳ１０２の処理手順で入
力されたユーザの属性情報と、本人確認及びライブ性確認の結果（成功又は失敗のいずれ
か）をサーバ１１０に送信する。なお、通信部３２２は、本人確認及びライブ性確認に失
敗した場合、ユーザの属性情報をサーバ１１０に送信しないようにしてもよい。
【００９９】
以上、図５を用いて説明した処理手順において、身分証明書の撮影ガイドを端末１２０
の画面に表示するための表示データが、撮影ガイドのデータを一意に識別するための識別
子と対応づけられて、予め端末１２０内の記憶部３２６に格納されていてもよい。この場
合、サーバ１１０の撮影ガイド送信部３１４は、撮影ガイド指示情報として、撮影ガイド
の識別子を端末１２０に送信するようにしてもよい。又は、身分証明書の撮影ガイドを端
末１２０の画面に表示するための表示データがサーバ１１０の記憶部３１７に格納されて
おり、サーバ１１０の撮影ガイド送信部３１４は、撮影ガイド指示情報として、撮影ガイ
ドの表示データそのものを端末１２０に送信するようにしてもよい。識別子は表示データ
よりもデータサイズが小さいことから、前者の方法は、後者の方法と比較して、サーバ１
１０及び端末１２０における通信データ量を削減することができる。一方、後者の方法は
、前者の方法と比較して、表示データの更新をリアルタイムに行うことができる。
【０１００】
図６は、実施形態に係る通信システム１の処理を示すシーケンスの一例を示す。図６を
用いて、端末１２０の画面に表示させる身分証明書の撮影ガイドを、端末１２０が自ら決
定する場合のシーケンス例について説明する。
【０１０１】
ステップＳ２００の処理手順は、図５のステップＳ１００の処理手順と同一であるため
説明は省略する。
【０１０２】
ステップＳ２０１で、表示制御部３２３は、撮影画面に表示する身分証明書（表面）の
撮影ガイドを、複数のバリエーションの中から選択する。選択方法は、図５のステップＳ
１０２で説明した、サーバ１１０の選択部３１３が行う方法と同一でよい。続いて、表示
制御部３２３は、選択した身分証明書の表面の撮影ガイドを、カメラの出力画像を表示す
る撮影画面に重ねて表示する。撮影部３２４は、シャッターボタンが押下（又はタッチ）
されたタイミングで、身分証明書の表面の画像を撮影する。
【０１０３】
ステップＳ２０２で、表示制御部３２３は、撮影画面に表示する身分証明書（裏面）の
撮影ガイドを、複数のバリエーションの中から選択する。選択方法は、図５のステップＳ
１０２で説明した、サーバ１１０の選択部３１３が行う方法と同一でよい。続いて、表示
制御部３２３は、選択した身分証明書の裏面の撮影ガイドを、カメラの出力画像を表示す
る撮影画面に重ねて表示する。撮影部３２４は、シャッターボタンが押下（又はタッチ）
されたタイミングで、身分証明書の裏面の画像を撮影する。
【０１０４】
ステップＳ２０３で、表示制御部３２３は、撮影画面に表示する身分証明書（側面）の
撮影ガイドを、複数のバリエーションの中から選択する。選択方法は、図５のステップＳ
１０２で説明した、サーバ１１０の選択部３１３が行う方法と同一でよい。続いて、表示
制御部３２３は、選択した身分証明書の側面の撮影ガイドを、カメラの出力画像を表示す
る撮影画面に重ねて表示する。撮影部３２４は、シャッターボタンが押下（又はタッチ）
されたタイミングで、身分証明書の側面の画像を撮影する。
【０１０５】
ステップＳ２０４で、撮影部３２４は、シャッターボタンが押下（又はタッチ）された
タイミングで、ユーザの顔の画像を撮影する。
【０１０６】
ステップＳ２０５の処理手順は、図５のステップＳ１０８の処理手順と同一であるため
説明は省略する。
【０１０７】
なお、Ｓ２０１からＳ２０５の処理の実行順は、上述の例に限定されず、任意の順番で
実行されてよい。また、Ｓ２０５の処理は、Ｓ２０１からＳ２０４のそれぞれ処理が行わ
れる度に実行されてもよい。
【０１０８】
ステップＳ２０６で、通信部３２２は、ステップＳ２００の処理手順で入力されたユー
ザの属性情報と、身分証明書の表面と、裏面及び側面の画像と、ユーザの顔の画像と、撮
影ガイド情報とをサーバ１１０に送信する。撮影ガイド情報には、端末１２０が選択した
、身分証明書（表面、裏面、側面）の撮影ガイドを特定する情報が含まれる。
【０１０９】
ステップＳ２０７で、サーバ１１０の認証部３２５は、受信したユーザの属性情報と、
身分証明書の表面、裏面及び側面の画像と、ユーザの顔の画像と、撮影ガイド情報とを用
いてユーザの本人確認及びライブ性確認処理を行う。サーバ１１０の認証部３１６は、撮
影ガイド情報を参照することで、ユーザがどの撮影ガイドに従って撮影を行ったのかを認
識する。その他の処理手順は、図５のステップＳ１１０と同一であるため説明は省略する
。
【０１１０】
本人確認及びライブ性確認処理をサーバ１１０側で実施する場合、ステップＳ２０６及
びステップＳ２０７の処理手順は省略され、本人確認及びライブ性確認処理を端末１２０
側で実施する場合、ステップＳ２０８及びステップＳ２０９の処理手順は省略される。
【０１１１】
ステップＳ２０８及びステップＳ２０９の処理手順は、それぞれ、図５のステップＳ１
１１及びステップＳ１１２の処理手順と同一であるため説明は省略する。
【０１１２】
＜第１実施形態の撮影ガイドの表示態様＞
図７及び図８は、端末１２０の撮影画面に表示される身分証明書の撮影ガイドの一例を
示す。図７（ａ）及び図７（ｂ）は、身分証明書を指で挟むように保持する場合の撮影ガ
イドの一例を示している。つまり、撮影ガイドは、ユーザの指と身分証明書とが接触する
位置を示すものであってもよい。
【０１１３】
図７（ａ）の例では、表示制御部３２３は、表示エリアＡ１００に、カメラの出力画像
と、撮影画像の枠内において身分証明書の表面を配置すべき位置を指示するオブジェクト
Ｊ１−１と、身分証明書を持つ位置を指示するオブジェクトＪ２−１とを表示する。ユー
ザは、自身の身分証明書を、オブジェクトＪ２−１が表示されている上下の位置で親指と
人差し指（又は中指）で挟みながら表面をカメラに向け、身分証明書の輪郭がオブジェク
トＪ１−１と重なった状態で撮影ボタンＢ１をタッチする。撮影ボタンＢ１がタッチされ
ると、表示エリアＡ１００に写っているカメラの出力画像が撮影画像として記録される。
なお、撮影画像には撮影ガイドが記録されていてもよいし記録されていなくてもよい。
【０１１４】
図７（ｂ）の例では、表示制御部３２３は、身分証明書の裏面を配置すべき位置を指示
するオブジェクトＪ１−２と、身分証明書を持つ位置を指示するオブジェクトＪ２−１と
を表示している。
【０１１５】
図７（ｃ）〜図７（ｅ）は、身分証明書を手のひらの上に置いて保持する場合の撮影ガ
イドの一例を示している。図７（ｃ）〜図７（ｅ）の例では、表示制御部３２３は、右手
の手のひらの位置を指示するオブジェクトＪ２−２の上に、身分証明書の表面を配置すべ
き位置を指示するオブジェクトＪ１−１を重ねて表示している。つまり、撮影ガイドは、
ユーザの手の向きと当該手における身分証明書の位置とを示すものであってもよい。
【０１１６】
なお、図７（ａ）から図７（ｅ）の各例は、身分証明書の表面の撮影ガイド及び身分証
明書の裏面の撮影ガイドの両方に適用することができる。
【０１１７】
図８は、身分証明書の側面の撮影方法を示す撮影ガイドの一例を示している。図８（ａ
）の例では、表示制御部３２３は、撮影画像の枠内において身分証明書の側面を配置すべ
き位置を指示するオブジェクトＪ１−３と、オブジェクトＪ１−３の上下に、身分証明書
を持つ位置を指示するオブジェクトＪ２−１を表示している。図８（ｂ）の例では、表示
制御部３２３は、身分証明書を持つ位置を指示するオブジェクトＪ２−１をオブジェクト
Ｊ１−３の中心に表示している。
【０１１８】
なお、図７及び図８において、身分証明書の表面を配置すべき位置及び身分証明書を持
つ位置は一例であり、図７及び図８に示す位置に限定されるものではない。
【０１１９】
＜第１実施形態の第１実施例＞
端末１２０の撮影部３２４は、カメラから出力された画像に写っている身分証明書の位
置及び身分証明書の保持方法と、身分証明書の撮影ガイドで示される身分証明書の位置及
び身分証明書の保持方法との一致度合いが所定の基準を満たす場合（所定の基準で一致す
る場合）、身分証明書の画像を自動で撮影するようにしてもよい。より具体的には、撮影
部３２４は、画像の撮影領域における身分証明書と、ユーザの身体における身分証明書を
保持する部位との位置関係と、撮影ガイドにおける位置関係との一致度合いが所定の基準
を満たす場合に、撮影部３２４に画像を撮影させるようにしてもよい。一致度合いはどの
ような方法で計算されるようにしてもよいが、例えば、画像に写っている身分証明書及び
手の位置の輪郭、顔の輪郭を抽出し、これらの輪郭で囲まれる領域のうち撮影ガイドの枠
の中に納まる割合を一致度合いとしてもよい。
【０１２０】
また、撮影部３２４は、身分証明書の画像を自動で撮影する場合において、カメラから
出力された画像と撮影ガイドとの一致度合いが、所定の時間を経過してもなお所定の基準
を満たさない場合、自動で撮影する処理を中止し、手動シャッターに切り替えるようにし
てもよい。若しくは、所定の基準を時間の経過とともに段階的に下げるようにしてもよい
。これにより、ユーザ操作の手間を軽減することができると共に、自動で撮影が上手く行
われない場合に撮影そのものが出来なくなるという事態に陥ることを軽減することが可能
になる。
【０１２１】
＜第１実施形態の第２実施例＞
身分証明書の撮影ガイドには、バリエーションごとに撮影難易度が定義されていてもよ
い。例えば、図７の例では、手首を上にする必要がある図７（ｅ）手首を左側にする必要
がある図７（ｄ）、手首を下にすればよい図７（ｃ）の順に、撮影難易度が低下していく
ように定義されていてもよい。
【０１２２】
サーバ１１０の認証部３１６は、本人確認及びライブ性確認に失敗する場合、再度画像
の撮影をユーザに促す。再度画像の撮影をユーザに促す際、既にユーザに提示した撮影ガ
イドよりも撮影難易度が低い撮影ガイドを端末１２０（ユーザ）に指示するようにしても
よい。これにより、難しいポーズ等が指示されてしまい、撮影が困難になる可能性を軽減
することが可能になる。
【０１２３】
なお、全ての撮影画像（身分証明書の表面、裏面、側面）の撮影難易度が低くなってし
まうことを抑止するため、認証部３１６は、各撮影画像の撮影難易度の合計が所定の難易
度以上になるように制御するようにしてもよい。例えば、身分証明書の表面について撮影
難易度を下げた場合、身分証明書の裏面については撮影難易度の高い画像で撮影し直すよ
うにユーザに促す等の処理を行ってもよい。これにより、簡単なポーズ等のみを用いて撮
影が行われてしまい、本人性確認やライブ性確認の信頼度が低下してしまうことを抑制す
ることが可能になる。
【０１２４】
＜第１実施形態の第３実施例＞
表示制御部３２３は、ユーザからの指示に応答して、端末１２０の撮影画面に表示する
撮影ガイドの変更を受け付けるようにしてもよい。ユーザから受付可能な変更依頼の回数
には上限が設けられていてもよい。
【０１２５】
＜第１実施形態の第４実施例＞
認証部３１６又は認証部３２５は、身分証明書の画像に写っている身分証明書の発行日
を抽出し、当該発行日と顔の画像が撮影された日とが所定の期間以上開いている場合、本
人確認及びライブ性確認処理を中止し、他の身分証明書で撮影を行うように端末１２０（
ユーザ）に促すようにしてもよい。なお、サーバ１１０側で本人確認及びライブ性確認処
理が行われる場合、端末１２０は、身分証明書の画像に写っている身分証明書の発行日を
抽出してサーバ１１０に送信するようにしてもよい。これにより、本人確認及びライブ性
確認処理の成功率を向上させることが可能になる。
【０１２６】
＜第１実施形態の第５実施例＞
撮影部３２４は、ステップＳ１０４乃至ステップＳ１０７の処理手順で画像を撮影し、
撮影した画像をステップＳ１０９の処理手順でサーバ１１０に送信するようにしたが、こ
れに限定されない。例えば、撮影部３２４は、ユーザが端末１２０の画面を操作して身分
証明書を撮影ガイドに合わせたり自身の顔を写そうとしている様子を、全て動画データ（
ストリーミングデータ）としてサーバ１１０に送信するようにしてもよい。サーバ１１０
は、静止画ではなく、動画データを用いて、本人確認及びライブ性確認を行うようにして
もよい。
【０１２７】
＜第２実施形態＞
第２実施形態は、身分証明書（本人確認書類）の画像及びユーザの顔の画像を用いてユ
ーザの本人確認処理を行う場合に、ユーザの顔の画像の撮影方法をその場で指示すること
で、オンラインでアップロードされた画像がその場で撮影されたものであること（ライブ
性）を担保する実施形態である。第２実施形態は単独で実行することも可能であるし、第
１実施形態と組み合わせることも可能である。第１実施形態と組み合わせる場合、本人確
認及びライブ性の確認は、身分証明書の画像の撮影方法と、ユーザの顔の画像の撮影方法
との両方が、指定された撮影方法に従っているか否かにより判別が行われる。
【０１２８】
第２実施形態において、端末１２０は、ユーザ自身の顔の撮影を行う画面に、顔の撮影
方法を指示する撮影ガイド（以下、「顔の撮影ガイド」と言う。）の情報を表示する。顔
の撮影方法には、撮影画像の枠内における顔の位置、顔を傾ける傾き、撮影時のポーズな
どが含まれる。顔の撮影ガイドは、ユーザが顔の画像を撮影する度に変更される。
【０１２９】
サーバ１１０は、オンラインで提出された顔の画像が、指示された撮影ガイドに従って
撮影された画像であるか否かを画像処理により確認することで、撮影された画像がその場
で撮影された画像であるのか否かを判別する。指示された撮影ガイドに従って撮影された
画像である場合、当該画像はその場で撮影された画像であることが担保される。
【０１３０】
第２実施形態によれば、顔の撮影ガイドは、ユーザが顔の画像を撮影する度に変更され
る。つまり、ユーザは、オンラインで提出する画像を事前に撮影しておいて後日提出する
といった行為や、事前に撮影した画像を加工して提出するといった行為を行うことが困難
になる。すなわち、第２実施形態によれば、オンラインで提出される画像が、その場で撮
影されたものであること（ライブ性）を担保することが可能になるという効果が得られる
。また、ユーザに指示する顔の撮影ガイドの選択をサーバ１１０又は端末１２０が行うこ
とになるので、ユーザに指示する撮影ガイドのランダム性を担保することができ、本人確
認及びライブ性確認を行う際の確認精度を高めることが可能になるという効果が得られる
。
【０１３１】
＜第２実施形態の機能構成＞
再度、図３を用いてサーバ１１０の機能構成について、第１実施形態との差異点を説明
する。特に言及しない機能部は、第１実施形態と同一でよい。
【０１３２】
選択部３１３は、端末１２０の画面に表示すべき撮影ガイドを、複数のバリエーション
の中から選択する機能を有する。
【０１３３】
撮影ガイド送信部３１４は、選択部３１３で選択された端末１２０の画面に表示すべき
顔の撮影ガイドを端末１２０に指示する撮影ガイド指示情報を、端末１２０に送信する機
能を有する。なお、第２実施形態を第１実施形態と組み合わせる場合、撮影ガイド指示情
報には、顔の撮影ガイドに加えて、身分証明書の撮影ガイドも含まれる。
【０１３４】
認証部３１６は、画像受信部３１５で受信した、ユーザの身分証明書の画像と、ユーザ
の顔の画像と、ユーザの属性情報とを用いて、ユーザの本人確認及びライブ性確認を行う
機能を有する。
【０１３５】
より具体的には、認証部３１６は、
１．顔の撮影ガイドで指示した顔の撮影方法と、画像受信部３１５で受信したユーザの顔
の画像における顔の撮影方法とを比較した結果、
２．画像受信部３１５で受信したユーザの身分証明書の画像に含まれる顔部分の画像と、
受信したユーザの顔の画像とを比較した結果、及び、
３．画像受信部３１５で受信したユーザの身分証明書の画像に含まれるユーザの属性情報
と、受信したユーザの属性情報とを比較した結果
に基づいて、ユーザの本人確認及びライブ性確認を行う。
【０１３６】
再度、図４を用いて端末１２０の機能構成について、第１実施形態との差異点を説明す
る。特に言及しない機能部は、第１実施形態と同一でよい。
【０１３７】
表示制御部３２３は、サーバ１１０から撮影ガイド指示情報により指示された顔の撮影
ガイドを、端末１２０が備えるカメラ（撮影装置）から出力された画像を表示する撮影画
面に重ねて表示する機能を有する。
【０１３８】
なお、具体的には後述するが、第２実施形態では、端末１２０の画面に表示する顔の撮
影ガイドを、サーバ１１０が選択するのではなく端末１２０が自ら選択するようにしても
よい。この場合、表示制御部３２３は、顔の撮影ガイドを、複数のバリエーションの中か
ら所定の選択ロジックに従って選択するようにしてもよい。
【０１３９】
撮影部３２４は、ユーザの操作に応答して、ユーザの身分証明書の画像と、ユーザの顔
の画像とを、端末１２０が備えるカメラを用いて撮影する機能を有する。
【０１４０】
また、撮影部３２４は、カメラから出力された画像に写っているユーザの顔の画像と、
顔の撮影ガイドで示される顔の位置及び顔の傾きとの一致度合いが所定の基準を満たす場
合、顔の画像を自動で撮影するようにしてもよい。
【０１４１】
＜第２実施形態の動作処理＞
再度、図５を参照し、第２実施形態に係る通信システム１の処理について説明する。以
下の説明では、第１実施形態との相違点に絞って説明する。特に説明しない処理手順は第
１実施形態と同一でよい。
【０１４２】
ステップＳ１０２で、サーバ１１０の選択部３１３は、顔の撮影ガイドを、複数のバリ
エーションの中から選択する。選択部３１３は、端末１２０に指示する撮影ガイドを、そ
れぞれ複数のバリエーションの中からランダムに選択してもよいし、現在の環境情報（日
付、時刻、天気、端末１２０の位置情報等）に基づいて選択するようにしてもよい。例え
ば、日付ごと（又は、時間ごと、天気ごと、地域ごと）に端末１２０に指示する撮影ガイ
ドが予め定められており、選択部３１３は、現在の日付（又は、現在の時刻、天気、端末
１２０がいる地域）に対応する撮影ガイドを、端末１２０に指示する撮影ガイドとして選
択するようにしてもよい。
【０１４３】
ステップＳ１０３で、サーバ１１０の撮影ガイド送信部３１４は、ステップＳ１０２の
処理手順で選択された顔の撮影ガイドを指示する撮影ガイド指示情報を、端末１２０に送
信する。
【０１４４】
ステップＳ１０４で、撮影部３２４は、シャッターボタンが押下（又はタッチ）された
タイミングで、身分証明書の表面の画像を撮影する。
【０１４５】
ステップＳ１０５で、撮影部３２４は、シャッターボタンが押下（又はタッチ）された
タイミングで、身分証明書の裏面の画像を撮影する。
【０１４６】
ステップＳ１０６で、撮影部３２４は、シャッターボタンが押下（又はタッチ）された
タイミングで、身分証明書の側面の画像を撮影する。
【０１４７】
ステップＳ１０７で、端末１２０の表示制御部３２３は、サーバ１１０から指示された
顔の撮影ガイドを、カメラの出力画像を表示する撮影画面に重ねて表示する。ユーザは、
撮影画面に表示されている撮影ガイドに自身の顔が重なるようにカメラの位置や顔の傾き
を調整する。撮影部３２４は、シャッターボタンが押下（又はタッチ）されたタイミング
で、ユーザの顔の画像を撮影する。
【０１４８】
ステップＳ１０８で、端末１２０の表示制御部３２３は、撮影された身分証明書の表面
、裏面及び側面の画像とユーザの顔の画像とを画面に表示し、各画像をサーバ１１０に送
信してもよいかの確認をユーザに促す。このとき表示制御部３２３は、ユーザが、撮影さ
れた画像が撮影ガイドに沿って撮影されているかを確認可能するために、撮影された画像
と撮影ガイドとを並べて、又は、撮影された画像の上に撮影ガイドを重ねて表示するよう
にしてもよい。ユーザが送信を許可した場合、ステップＳ１０９の処理手順に進み、ユー
ザが再度の撮影を望む場合、ユーザが希望する画像の撮影が再度行われる。
【０１４９】
ステップＳ１１０で、サーバ１１０の認証部３２５は、受信したユーザの属性情報と、
身分証明書の表面、裏面及び側面の画像と、ユーザの顔の画像とを用いてユーザの本人確
認処理及びライブ性確認処理を行う。
【０１５０】
まず、認証部３２５は、端末１２０に指示した顔の撮影ガイドにおける顔の撮影方法と
、ユーザの顔の画像とを比較することで、撮影された画像が撮影ガイドに沿って撮影され
ていることを確認する。例えば、認証部３２５は、顔の画像を解析することで、画面全体
における顔の位置及び傾きを特定し、特定した位置及び傾きと、撮影ガイドにおける顔の
位置及び傾きとのずれが所定の閾値以下である場合に、ユーザの顔の画像は、撮影ガイド
に沿って撮影されていると判定するようにしてもよい。
【０１５１】
次に、認証部３２５は、身分証明書の画像に含まれる顔部分の画像と、ユーザの顔の画
像とを比較し、各々の画像が所定の一致判定基準を満たすことを確認することで、身分証
明書に写っている人物とユーザとが同一人物であることを確認する。例えば、認証部３２
５は、それぞれの画像に写っている顔の特徴量を抽出し、特徴量の差が所定の値以下であ
る場合に、身分証明書に写っている人物とユーザとが同一人物であると判定するようにし
てもよい。
【０１５２】
次に、認証部３２５は、身分証明書の画像に含まれるユーザの属性情報と、ユーザが端
末１２０に入力したユーザの属性情報とを比較することで、ユーザが入力した属性情報が
身分証明書の記載事項と一致することを確認する。
【０１５３】
例えば、認証部３２５は、身分証明書の画像に写っている文字列を読み取り、読み取っ
た文字列とユーザが入力したユーザの属性情報とが一致する場合に、ユーザが入力した属
性情報が身分証明書の記載事項と一致すると判定するようにしてもよい。
【０１５４】
認証部３２５は、"顔の画像が撮影ガイドに沿って撮影されていること"と、"身分証明
書に写っている人物とユーザとが同一人物であること"と、"ユーザが入力した属性情報が
身分証明書の記載事項と一致すること"のすべての項目が確認できた場合に、ユーザがサ
ービス申込者本人であり、かつ画像がその場で撮影されたものである（ライブ性がある）
と判定する。
【０１５５】
以上、図５を用いて説明した処理手順において、顔の撮影ガイドを端末１２０の画面に
表示するための表示データが、撮影ガイドのデータを一意に識別するための識別子と対応
づけられて、予め端末１２０内の記憶部３２６に格納されていてもよい。この場合、サー
バ１１０の撮影ガイド送信部３１４は、撮影ガイド指示情報として、撮影ガイドの識別子
を端末１２０に送信するようにしてもよい。又は、顔の撮影ガイドを端末１２０の画面に
表示するための表示データがサーバ１１０の記憶部３１７に格納されており、サーバ１１
０の撮影ガイド送信部３１４は、撮影ガイド指示情報として、撮影ガイドの表示データそ
のものを端末１２０に送信するようにしてもよい。識別子は表示データよりもデータサイ
ズが小さいことから、前者の方法は、後者の方法と比較して、サーバ１１０及び端末１２
０における通信データ量を削減することができる。一方、後者の方法は、前者の方法と比
較して、表示データの更新をリアルタイムに行うことができる。
【０１５６】
図６は、実施形態に係る通信システム１の処理を示すシーケンスの一例を示す。図６を
用いて、端末１２０の画面に表示させる顔の撮影ガイドを、端末１２０が自ら決定する場
合のシーケンス例について説明する。
【０１５７】
ステップＳ２０１で、撮影部３２４は、シャッターボタンが押下（又はタッチ）された
タイミングで、身分証明書の表面の画像を撮影する。
【０１５８】
ステップＳ２０２で、撮影部３２４は、シャッターボタンが押下（又はタッチ）された
タイミングで、身分証明書の裏面の画像を撮影する。
【０１５９】
ステップＳ２０３で、撮影部３２４は、シャッターボタンが押下（又はタッチ）された
タイミングで、身分証明書の側面の画像を撮影する。
【０１６０】
ステップＳ２０４で、端末１２０の表示制御部３２３は、撮影画面に表示する顔の撮影
ガイドを、複数のバリエーションの中から選択する。選択方法は、図５のステップＳ１０
２で説明した、サーバ１１０の選択部３１３が行う方法と同一でよい。続いて、撮影部３
２４は、シャッターボタンが押下（又はタッチ）されたタイミングで、ユーザの顔の画像
を撮影する。
【０１６１】
ステップＳ２０５の処理手順は、図５のステップＳ１０８の処理手順と同一であるため
説明は省略する。
【０１６２】
ステップＳ２０６で、通信部３２２は、ステップＳ２００の処理手順で入力されたユー
ザの属性情報と、身分証明書の表面と、裏面及び側面の画像と、ユーザの顔の画像と、撮
影ガイド情報とをサーバ１１０に送信する。撮影ガイド情報には、端末１２０が選択した
、顔の撮影ガイドを特定する情報が含まれる。
【０１６３】
ステップＳ２０７で、サーバ１１０の認証部３２５は、受信したユーザの属性情報と、
身分証明書の表面、裏面及び側面の画像と、ユーザの顔の画像と、撮影ガイド情報とを用
いてユーザの本人確認及びライブ性確認処理を行う。サーバ１１０の認証部３１６は、撮
影ガイド情報を参照することで、ユーザがどの撮影ガイドに従って撮影を行ったのかを認
識する。その他の処理手順は、図５のステップＳ１１０と同一であるため説明は省略する
。
【０１６４】
＜第２実施形態の撮影ガイドの表示態様＞
図９及び図１０は、端末１２０の撮影画面に表示される顔の撮影ガイドの一例を示す。
表示エリアＡ１００には、カメラの出力画像と、撮影画像の枠内における顔の位置及び顔
の傾きを指示するオブジェクトＪ３−１とが表示される。図９（ａ）の例は、顔を傾けな
い状態で撮影すべきことを示しており、図９（ｂ）及び図９（ｃ）の例は、顔を傾けて撮
影すべきことを示している。図９（ｄ）は、ポーズをとりながら顔を撮影すべきことを指
示するオブジェクトＪ３−２の例を示している。オブジェクトＪ３−２は、顔を配置すべ
き位置及び顔の傾きに加えて、顔の斜め下に手のひらを写すべきことを示している。
【０１６５】
図１０の例では、表示制御部３２３は、顔の撮影ガイドに、撮影画像の枠内における顔
の位置と顔の傾きを指示するオブジェクトと、撮影画像の枠内における身分証明書の側面
の位置及び保持方法を指示するオブジェクトの両方を表示している。図１０の例では、ラ
イブ性の確認は、少なくとも、顔の画像と身分証明書の側面の画像とを用いて行われる。
身分証明書の側面は面積が狭いことから、顔と身分証明書の側面を一緒に撮影するように
指示することで、ユーザの負担を減らすことができるとともに、端末１２０からサーバ１
１０に送信する画像の数が減ることで、通信データ量を削減することができる。図１０（
ａ）の例では、撮影画像の枠内における顔の位置及び顔の傾きを指示するオブジェクトＪ
３−１と、撮影画像の枠内における身分証明書の側面の位置を指示するオブジェクトＪ１
−３と保持方法を指示するオブジェクトＪ２−１とが表示されている。図１０（ｂ）の例
では、顔が傾いた状態のオブジェクトＪ３−１が表示されている。
【０１６６】
＜第２実施形態の第１実施例＞
認証部３１６又は認証部３２５は、顔の撮影ガイドにおいて、顔の傾きが指示される場
合、顔の上下方向の軸と端末１２０の画面（撮影画面）の上下方向の軸との角度差が大き
いほど、顔の撮影ガイドで指示される顔の撮影方法と、受信したユーザの顔の画像におけ
る顔の撮影方法とが一致するか否かを判定するための判定基準が緩くなるように変更する
ようにしてもよい。例えば顔の傾きが無い場合、特徴量の一致率が９０％以上であれば、
顔の画像は、顔の撮影ガイドに沿って撮影されていると判定すると仮定する。この場合、
認証部３１６は、例えば顔の傾きが３０度ある場合、特徴量の一致率が７０％以上であれ
ば、顔の画像は、顔の撮影ガイドに沿って撮影されていると判定するといったように、角
度差が大きくなるほど判定基準が緩くなるようにしてもよい。これにより、顔の傾きがあ
る場合に、本人確認及びライブ性確認処理の成功率を向上させることが可能になる。＜第
２実施形態の第２実施例＞
顔の撮影ガイドには、バリエーションごとに撮影難易度が定義されていてもよい。
【０１６７】
サーバ１１０の認証部３１６は、本人確認及びライブ性確認に失敗する場合、再度画像
の撮影をユーザに促す。再度画像の撮影をユーザに促す際、既にユーザに提示した撮影ガ
イドよりも撮影難易度が低い撮影ガイドを端末１２０（ユーザ）に指示するようにしても
よい。これにより、難しいポーズ等が指示されてしまい、撮影が困難になる可能性を軽減
することが可能になる。
【０１６８】
なお、顔の撮影画像の撮影難易度が低くなってしまうことを抑止するため、認証部３１
６は、各撮影画像の撮影難易度の合計が所定の難易度以上になるように制御するようにし
てもよい。例えば、身分証明書の表面について撮影難易度を下げた場合、顔の画像につい
ては撮影難易度の高い画像で撮影し直すようにユーザに促す等の処理を行ってもよい。こ
れにより、簡単なポーズ等のみを用いて撮影が行われてしまい、本人性確認やライブ性確
認の信頼度が低下してしまうことを抑制することが可能になる。
【０１６９】
＜第３実施形態＞
第３実施形態は、身分証明書の側面の撮影位置を示す撮影ガイドについて、当該撮影ガ
イドの位置及び当該撮影ガイドの傾きを、撮影画面の中で変化させる実施形態である。そ
の他特に言及しない点は第１実施形態と同一でよい。
【０１７０】
第３実施形態によれば、身分証明書の側面の撮影ガイドは、ユーザが身分証明書の側面
の画像を撮影する際にその都度変更される。つまり、ユーザは、本人確認及びライブ性確
認時にオンラインで提出する画像を事前に撮影しておいて後日提出するといった行為や、
事前に撮影した画像を加工して提出するといった行為を行うことが困難になる。すなわち
、第３実施形態によれば、本人確認及びライブ性確認時にオンラインで提出される身分証
明書の側面の画像が、その場で撮影されたものであること（ライブ性）を担保することが
可能になるという効果が得られる。また、ユーザに指示する身分証明書の側面の撮影ガイ
ドとして予め複数のバリエーションの撮影ガイドを用意しておく必要がないことから、サ
ーバ１１０及び端末１２０が複数のバリエーションの撮影ガイドに関するデータを格納し
ておくメモリ領域を削減することができるという効果が得られる。
【０１７１】
＜第３実施形態の機能構成＞
再度、図３を用いてサーバ１１０の機能構成について、第１実施形態との差異点を説明
する。特に言及しない機能部は、第１実施形態と同一でよい。
【０１７２】
画像受信部３１５は、更に、ユーザの身分証明書の側面の画像と、端末１２０の画面に
おいて身分証明書の側面の撮影位置を指示する撮影ガイドの位置及び傾きを示す情報を、
端末１２０から受信する。
【０１７３】
認証部３１６は、画像受信部３１５で受信した、ユーザの身分証明書の画像と、ユーザ
の顔の画像と、ユーザの属性情報と、身分証明書の側面の撮影位置を指示する撮影ガイド
の位置及び傾きを示す情報とを用いてユーザの本人確認及びライブ性確認処理を行う機能
を有する。
【０１７４】
より具体的には、認証部３１６は、第１実施形態における本人確認及びライブ性確認処
理のうち身分証明書の側面の画像の比較処理について、端末１２０の撮影画面において身
分証明書の側面の撮影ガイドの位置及び傾きと、ユーザの身分証明書の側面の画像に写っ
ている身分証明書の側面の画像の撮影位置（位置及び傾き）との比較結果に基づいて、ユ
ーザの本人確認及びライブ性確認を行う。
【０１７５】
再度、図４を用いて端末１２０の機能構成について、第１実施形態との差異点を説明す
る。特に言及しない機能部は、第１実施形態と同一でよい。
【０１７６】
表示制御部３２３は、身分証明書の側面の撮影ガイドを表示する際の位置及び傾きを所
定のロジックに従って決定し、決定した位置及び傾きに従って撮影ガイドを撮影画面の中
に表示させる機能を有する。
【０１７７】
なお、表示制御部３２３は、身分証明書の側面の撮影位置を指示する撮影ガイドを、撮
影画面に対して垂直方向の軸を中心に、撮影画面の面に沿って回転させ、所定の操作が行
われた場合に回転を停止させることで、撮影画面における撮影ガイドの位置及び傾きを決
定るようにしてもよい。また、身分証明書の側面の撮影位置を指示する撮影ガイドには、
身分証明書の側面の保持方法を指示する撮影ガイドが含まれていてもよいし、含まれてい
なくてもよい。
【０１７８】
＜第３実施形態の撮影ガイドの表示態様＞
図１１は、第３実施形態に係る端末１２０の撮影画面に表示される身分証明書の側面の
撮影ガイドの一例を示す図である。図１１に示す身分証明書の側面の撮影ガイドは、長方
形の撮影ガイドがルーレットのように軸Ｘを中心に回転し（図１１（ａ）、図１１（ｂ）
）、所定の時間経過後、又はユーザ操作（例えば図１１（ｂ）のＳＴＯＰアイコンをタッ
チする等）に応答して停止する（図１１（ｃ））。ユーザは、停止した撮影ガイドに身分
証明書の側面を合わせて撮影する。なお、図１１において、回転軸Ｘの位置、回転速度及
び回転方向は一例であり、これに限定されるものではない。身分証明書の側面の撮影ガイ
ドの移動方法は、回転に限られない。例えば、撮影ガイドが撮影画面の中を前後左右に移
動するようにしてもよい。又は、撮影ガイドが回転しながら、回転軸Ｘが撮影画面の中を
前後左右に移動するようにしてもよい。また、側面の撮影ガイドが表示される撮影画面内
の位置は、図１１の位置に限定されず、例えばランダムに決定されてもよい。
【０１７９】
端末１２０の通信部３２２は、撮影ガイドが停止した後、撮影ガイドが停止した位置（
及び／又は角度）を示す情報をサーバ１１０に送信する。例えば、通信部３２２は、図５
のステップＳ１０９の処理手順において、撮影画像と一緒に、身分証明書の側面の撮影位
置を指示するガイドが停止した位置を示す情報をサーバ１１０に送信するようにしてもよ
い。
【０１８０】
図１２は、第３実施形態に係る端末１２０の撮影画面に表示される身分証明書の側面の
撮影ガイドの例を示す図である。図１２（ａ）に示すように、身分証明書の側面の撮影ガ
イドには身分証明書の保持方法が含まれていてもよい。表示制御部３２３は、身分証明書
の側面の保持方法を示す撮影ガイドを、撮影ガイドが停止してから表示するようにしても
よいし、身分証明書の側面の撮影ガイドが回転しているときから表示し続けるようにして
もよい。
【０１８１】
また、図１２（ｂ）に示すように、身分証明書の側面の撮影ガイドは、身分証明書の側
面を確認可能な範囲で、身分証明書の側面と共に身分証明書の表面又は裏面も写るように
、身分証明書を傾けて撮影すべきことを指示するオブジェクトＪ１−４であってもよい。
表示制御部３２３は、身分証明書を傾ける角度をランダムに選択してもよい。具体的には
、表示制御部３２３は、回転軸Ｘを撮影画面に対して傾ける角度を所定の角度の範囲（例
えば１０〜４５度など）でランダムに選択し、回転軸Ｘを当該所定の角度傾けたオブジェ
クトＪ１−４を表示するようにしてもよい。身分証明書の側面と共に身分証明書の表面及
び裏面も写るようにすることで、側面をクレジットカードなど身分証明書以外のもので撮
影するといった不正行為を抑止することができる。
【０１８２】
また、身分証明書の側面の撮影ガイドは、長方形の撮影ガイドでなくてもよい。例えば
、図１２（ｃ）に示すように本棚の中で本が抜けている位置に身分証明書の側面を合わせ
て撮影するように指示するオブジェクトであってもよい。図１２（ｃ）において、表示制
御部３２３は、本が抜けている位置を所定の時間間隔で（例えば１秒間隔等で）移動させ
、ユーザが画面をタッチした位置で停止させるようにしてもよい。また、身分証明書の側
面の撮影ガイドは、図１２（ｄ）に示すように、身分証明書の側面を時計の針に合わせる
ことを指示するオブジェクトであってもよい。また、身分証明書の側面の撮影ガイドは、
図１２（ｅ）に示すように、文字の一部が抜けており、身分証明書の側面をはめ込むこと
で文字を完成させることを指示するオブジェクトであってもよい。
【０１８３】
＜第３実施形態の動作処理＞
再度、図５及び図６を参照し、第３実施形態に係る通信システム１の処理について説明
する。以下の説明では、第１実施形態との相違点に絞って説明する。特に説明しない処理
手順は第１実施形態と同一でよい。
【０１８４】
端末１２０の撮影部３２４は、図５のステップＳ１０６又は図６のステップＳ２０３の
処理手順で身分証明書の側面の撮影を行う際、端末１２０が備えるカメラから出力された
画像に写っている身分証明書の側面の撮影位置と、身分証明書の撮影ガイドで示される身
分証明書の側面の撮影位置との一致度合いが所定の基準を満たす場合、身分証明書の側面
の画像を自動で撮影するようにしてもよい。一致度合いはどのような方法で計算されるよ
うにしてもよいが、例えば、撮影部３２４は、画像に写っている身分証明書の側面の輪郭
を抽出し、抽出した輪郭で囲まれる領域のうち撮影ガイドの枠の中に納まる割合を一致度
合いとしてもよい。
【０１８５】
また、撮影部３２４は、身分証明書の側面を自動で撮影した場合、図５のステップＳ１
０９又は図６のステップＳ２０６の処理手順で、自動で撮影したことを示す情報をサーバ
１１０に送信するようにしてもよい。当該情報は、自動で撮影したことを明示的に示す情
報であってもよいし、身分証明書の側面の画像を端末１２０からサーバ１１０に送信しな
いことで、自動で撮影したことを暗示的に示すことであってもよい。
【０１８６】
サーバ１１０は、身分証明書の側面を自動で撮影したことを示す情報を端末１２０から
受信した場合、図５のステップＳ１１０又は図６のステップＳ２０７の処理手順で、身分
証明書の側面については本人確認及びライブ性確認処理の対象外とするようにしてもよい
。具体的には、認証部３１６は、身分証明書の側面の撮影位置を示す情報と、ユーザの身
分証明書の側面の画像に写っている身分証明書の側面の画像の撮影位置との比較を行わず
にユーザの本人確認及びライブ性確認を行うようにしてもよい。また、図５のステップＳ
１１１又は図６のステップＳ２０８で端末１２０が自ら本人確認及びライブ性確認を行う
場合も同様に、身分証明書の側面については本人確認及びライブ性確認処理の対象外とす
るようにしてもよい。
【０１８７】
＜第４実施形態＞
第４実施形態は、身分証明書の画像及びユーザの顔の画像を用いてユーザの本人確認及
びライブ性確認処理を行う場合に、第１実施形態乃至及第３実施形態のように撮影ガイド
に沿って撮影されたか否かによってライブ性の確認を行うことに代えて、身分証明書の画
像及び顔の画像に付加された撮影時の位置情報と、端末１２０の現在位置とを比較し、撮
影時の位置情報と、端末１２０の現在位置とが所定の範囲内に含まれることを確認するこ
とでライブ性の確認を行う実施形態である。なお、身分証明書の画像及びユーザの顔の画
像をまとめて「本人確認画像」と呼んでもよい（他の実施形態でも同様）。その他、特に
言及しない点は、第１実施形態乃至第３実施形態と同一でよい。なお、第４実施形態を、
第１実施形態、第２実施形態及び／又は第３実施形態と組み合わせるようにしてもよい。
つまり、位置情報の比較に加えて、撮影された画像が撮影ガイドに沿ったものであること
を確認することでライブ性を確認することとしてもよい。
【０１８８】
第４実施形態によれば、撮影時の位置情報と、端末１２０の位置情報とが所定の範囲内
であるか否かを確認することでライブ性の確認を行うようにする。これにより、ユーザは
、本人確認及びライブ性確認時にオンラインで提出する画像を事前に撮影しておいて後日
提出するといった行為や、事前に撮影した画像を加工して提出するといった行為を行うこ
とが困難になる。すなわち、第４実施形態によれば、本人確認及びライブ性確認時にオン
ラインで提出される身分証明書の側面の画像が、その場で撮影されたものであること（ラ
イブ性）を担保することが可能になるという効果が得られる。また、第１実施形態及び第
３実施形態と比較して、身分証明書の撮影ガイドを記憶しておく必要がないことから、サ
ーバ１１０及び端末１２０のメモリ領域を削減することができるという効果が得られる。
【０１８９】
＜第４実施形態の機能構成＞
再度、図３を用いてサーバ１１０の機能構成を説明する。なお、第４実施形態を第１実
施形態、第２実施形態及び／又は第３実施形態と組み合わせない場合、図３における選択
部３１３及び撮影ガイド送信部３１４は不要である。
【０１９０】
画像受信部３１５は、端末１２０の位置情報と、撮影時の位置情報が付加されたユーザ
の身分証明書の画像と、撮影時の位置情報が付加されたユーザの顔の画像と、ユーザによ
り入力されたユーザの属性情報とを、端末１２０から受信する機能を有する。
【０１９１】
認証部３１６は、端末１２０の位置情報と、ユーザの身分証明書の画像に付与された位
置情報とが所定の範囲内である場合に、ユーザの身分証明書を当該ユーザの本人確認の少
なくとも一部として承認する機能を有する。また、認証部３１６は、端末１２０の位置情
報と、ユーザの身分証明書の画像に付与された位置情報と、ユーザの顔の画像に付与され
た位置情報との比較結果、受信したユーザの身分証明書の画像に含まれる顔部分の画像と
、受信したユーザの顔の画像との比較結果、及び、受信したユーザの身分証明書の画像に
含まれるユーザの属性情報と、受信したユーザの属性情報との比較結果に基づいて、ユー
ザの本人確認及びライブ性確認を行う機能を有する。
【０１９２】
図１３を用いて端末１２０の機能構成について、第１実施形態との差異点を説明する。
第４実施形態に係る端末１２０は、第１実施形態で説明した構成に加え、更に、位置情報
測定部３２７を有する。表示制御部３２３、撮影部３２４、認証部３２５、位置情報測定
部３２７は、プロセッサ２０１が、記憶部３２６に格納されているプログラムを読み出し
て実行することで実現される。
【０１９３】
以下に本実施形態にかかる端末１２０の機能構成について詳細に説明する。なお、入力
部３２１は、第１実施形態と同一であるため説明は省略する。
【０１９４】
通信部３２２は、通信Ｉ／Ｆ２０５を介してサーバ１１０から各種データを受信する処
理、及び、通信Ｉ／Ｆ２０５を用いて各種のデータをサーバ１１０に送信する処理を行う
機能を有する。また、通信部３２２は、撮影部３２４で撮影された、撮影時の位置情報が
付加されたユーザの身分証明書の画像と、撮影時の位置情報が付加されたユーザの顔の画
像と、入力部３２１で受け付けたユーザの属性情報とをサーバ１１０に送信する機能を有
する。
【０１９５】
表示制御部３２３は、撮影画面に、端末１２０が備えるカメラ（撮影装置）から出力さ
れた画像を表示する機能を有する。
【０１９６】
撮影部３２４は、ユーザの操作に応答して、ユーザの身分証明書の画像と、ユーザの顔
の画像とを、端末１２０が備えるカメラを用いて撮影する機能を有する。また、撮影部３
２４は、撮影したユーザの身分証明書の画像とユーザの顔の画像とに、撮影時の位置を示
す位置情報を付加する機能を有する。
【０１９７】
認証部３２５は、撮影部３２４で撮影されたユーザの身分証明書の画像及びユーザの顔
の画像と、入力部３２１に入力されたユーザの属性情報と、端末１２０の位置情報とを用
いて、ユーザの本人確認処理及びライブ性確認処理を行う機能を有する。なお、第１実施
形態乃至第３実施形態と同様、端末１２０が自ら本人確認処理及びライブ性確認処理を行
わない場合、端末１２０は認証部３２５を備えていなくてもよい。
【０１９８】
位置情報測定部３２７は、端末１２０の現在位置の位置情報を測定する機能を備える。
位置情報測定部３２７は、限定でなく例として、ＧＰＳ（Ｇｌｏｂａｌ  Ｐｏｓｉｔｉｏ
ｎｉｎｇ  Ｓｙｓｔｅｍ）を用いて、端末１２０の現在位置の位置情報として、該端末１
２０の緯度および経度を測定する。なお、位置情報測定部３２７による端末１２０の位置
情報の計測は、ＧＰＳに限られず、どのような方法を用いてもよい。限定でなく例として
、位置情報測定部３２７は、Ｗｉ−Ｆｉなどの無線ＬＡＮを利用して、端末１２０の位置
情報を測定してもよい。その他にも、位置情報測定部３２７は、限定でなく例として、Ｉ
ＭＥＳ（Ｉｎｄｏｏｒ  ＭＥｓｓａｇｉｎｇ  Ｓｙｓｔｅｍ）やＲＦＩＤ（Ｒａｄｉｏ  
Ｆｒｅｑｕｅｎｃｙ  Ｉｄｅｎｔｉｆｉｅｒ）、ＢＬＥ（Ｂｌｕｅｔｏｏｔｈ  Ｌｏｗ  
Ｅｎｅｒｇｙ）などの通信方式を用いて、端末１２０の位置情報を測定してもよい。また
、位置情報測定部３２７は、限定でなく例として、ＬＴＥやＣＤＭＡなどの移動体通信シ
ステムを用いて、端末１２０の位置情報を測定してもよい。
【０１９９】
＜第４実施形態の動作処理＞
図１４を参照し、第４実施形態に係る通信システム１の処理について説明する。図１４
は、第４実施形態に係る通信システム１の処理のシーケンスの一例を示す。
【０２００】
ステップＳ３００で、端末１２０の位置情報測定部３２７は、端末１２０の現在位置の
測定を開始する。
【０２０１】
ステップＳ３０１の処理手順は、図５のステップＳ１００の処理手順と同一であるため
説明は省略する。
【０２０２】
ステップＳ３０２で、撮影部３２４は、シャッターボタンが押下（又はタッチ）された
タイミングで、身分証明書の表面の画像を撮影し、撮影された画像に、端末１２０の撮影
時の位置を示す位置情報を付加する。
【０２０３】
ステップＳ３０３で、撮影部３２４は、シャッターボタンが押下（又はタッチ）された
タイミングで、身分証明書の裏面の画像を撮影し、撮影された画像に、端末１２０の撮影
時の位置を示す位置情報を付加する。
【０２０４】
ステップＳ３０４で、撮影部３２４は、シャッターボタンが押下（又はタッチ）された
タイミングで、身分証明書の側面の画像を撮影し、撮影された画像に、端末１２０の撮影
時の位置を示す位置情報を付加する。
【０２０５】
ステップＳ３０５で、撮影部３２４は、シャッターボタンが押下（又はタッチ）された
タイミングで、ユーザの顔の画像を撮影し、撮影された画像に、端末１２０の撮影時の位
置を示す位置情報を付加する。
【０２０６】
ステップＳ３０６で、端末１２０の表示制御部３２３は、撮影された身分証明書の表面
、裏面及び側面の画像とユーザの顔の画像とを表示し、各画像をサーバ１１０に送信して
もよいかの確認をユーザに促す。ユーザが送信を許可した場合、ステップＳ３０７の処理
手順に進み、ユーザが再度の撮影を望む場合、ユーザが希望する画像の撮影が再度行われ
る。
【０２０７】
ステップＳ３０７で、端末１２０の位置情報測定部３２７は、端末１２０の現在位置の
測定を終了する。
【０２０８】
ステップＳ３０８で、通信部３２２は、ステップＳ３０１の処理手順で入力されたユー
ザの属性情報と、身分証明書の表面、裏面及び側面の画像と、ユーザの顔の画像と、端末
１２０の現在位置を示す位置情報とをサーバ１１０に送信する。
【０２０９】
ステップＳ３１０で、サーバ１１０の認証部３２５は、受信したユーザの属性情報と、
身分証明書の表面、裏面及び側面の画像と、ユーザの顔の画像と、端末１２０の現在位置
を示す位置情報とを用いてユーザの本人確認処理及びライブ性確認処理を行う。
【０２１０】
このとき、認証部３２５は、端末１２０の現在位置を示す位置情報と、ユーザの身分証
明書の表面、裏面及び側面の各々の画像に付与された位置情報と、ユーザの顔の画像に付
与された位置情報とが所定の範囲内に含まれることを確認する。
【０２１１】
次に、認証部３２５は、身分証明書の画像に含まれる顔部分の画像と、ユーザの顔の画
像とを比較し、比較結果が所定の一致判定基準を満たすことを確認することで、身分証明
書に写っている人物とユーザとが同一人物であることを確認する。具体的な処理手順は第
１実施形態と同一であるため説明は省略する。
【０２１２】
次に、認証部３２５は、身分証明書の画像に含まれるユーザの属性情報と、ユーザが端
末１２０に入力したユーザの属性情報とを比較することで、ユーザが入力した属性情報が
身分証明書の記載事項と一致することを確認する。具体的な処理手順は第１実施形態と同
一であるため説明は省略する。
【０２１３】
認証部３２５は、"端末１２０の現在位置を示す位置情報と、ユーザの身分証明書の表
面、裏面及び側面の各々の画像に付与された位置情報と、ユーザの顔の画像に付与された
位置情報とが所定の範囲内に含まれること"と、"ユーザの身分証明書の画像に含まれる顔
部分の画像と、ユーザの顔の画像とが所定の一致判定基準を満たすこと"と、"ユーザの身
分証明書の画像に含まれるユーザの属性情報と、受信したユーザの属性情報とが一致する
こと"の全ての項目が確認できた場合に、ユーザがサービス申込者本人（本人確認が取れ
た）であり、かつ画像がその場で撮影されたものである（ライブ性がある）と判定する。
【０２１４】
一方、いずれかの項目について確認ができなかった場合に認証部３２５が行う処理手順
については、第１実施形態、第２実施形態又は第３実施形態と同一であるため説明は省略
する。
【０２１５】
ステップＳ３１０及びステップＳ３１１の処理手順は、本人確認処理及びライブ性確認
処理をサーバ１１０ではなく端末１２０側で実施する場合の処理手順を示している。本人
確認処理及びライブ性確認処理をサーバ１１０側で実施する場合、ステップＳ３１０及び
ステップＳ３１１の処理手順は省略され、本人確認処理を端末１２０側で実施する場合、
ステップＳ３０８及びステップＳ３０９の処理手順は省略される。
【０２１６】
ステップＳ３１０で、端末１２０の認証部３２５が行う本人確認処理及びライブ性確認
処理は、ステップＳ３０９の処理手順でサーバ１１０の認証部３１６が行う本人確認処理
及びライブ性確認処理と同一であるため説明は省略する。
【０２１７】
ステップＳ３１１の処理手順は、図５のステップＳ１１２の処理手順と同一であるため
説明は省略する。
【０２１８】
＜第４実施形態の第１実施例＞
なお、第４実施形態において、画像に付与された位置情報と端末１２０の位置情報とを
比較することに加えて、画像に付与された撮影時刻と、現在の時刻とを比較することで、
ライブ性の確認を行うようにしてもよい。
【０２１９】
例えば、端末１２０の撮影部３２４は、撮影したユーザの身分証明書の表面、裏面及び
側面の画像とユーザの顔の画像に、位置情報に加えて撮影時の時刻を付加し、通信部３２
２は、位置情報及び撮影時の時刻が付加されたユーザの身分証明書の表面、裏面及び側面
の画像と、位置情報及び撮影時の時刻が付加されたユーザの顔の画像とをサーバ１１０に
送信する。サーバ１１０の画像受信部３１５は、位置情報と撮影時の時刻が付加されたユ
ーザの身分証明書の画像と、位置情報と撮影時の時刻が付加されたユーザの顔の画像とを
受信することになる。
【０２２０】
また、サーバ１１０の認証部３１６は、位置情報の比較に加えて、現在時刻（又は端末
１２０から身分証明書の画像を受信した時刻でもよく、他の実施例でも同様）と、ユーザ
の身分証明書の画像に付与された時刻と、ユーザの顔の画像に付与された時刻との比較結
果に基づいて、ユーザの本人確認及びライブ性確認を行う。具体的には、認証部３１６は
、現在時刻と、ユーザの身分証明書の表面、裏面及び側面の各々の画像に付与された時刻
と、ユーザの顔の画像に付与された時刻とが所定の範囲内である場合に、ライブ性が確認
できたと判定するようにしてもよい。所定の範囲内とは、限定ではなく例示として、３分
以内や５分以内等であってもよい。
【０２２１】
以上説明した第１実施例は、端末１２０の認証部３２５が本人確認及びライブ性確認を
行う際にも適用することができる。
【０２２２】
＜第５実施形態＞
第５実施形態は、身分証明書の画像及びユーザの顔の画像を用いてユーザの本人確認及
びライブ性確認処理を行う場合に、第１実施形態乃至第３実施形態のように撮影ガイドに
沿って撮影されたか否かによってライブ性の確認を行うことに代えて、身分証明書の画像
及び顔の画像に付加された撮影時の時刻情報と、現在時刻とを比較し、撮影時の時刻と現
在時刻報とが所定の範囲内に含まれることを確認することでライブ性の確認を行う実施形
態である。その他特に言及しない点は、第１実施形態又は第３実施形態と同一でよい。な
お、第５実施形態を、第１実施形態及び／又は第３実施形態と組み合わせるようにしても
よい。つまり、位置情報の比較に加えて、撮影された画像が撮影ガイドに沿ったものであ
ることを確認することでライブ性を確認することとしてもよい。また、第５実施形態と第
４実施形態を組み合わせることも可能である。
【０２２３】
第５実施形態によれば、撮影時の時刻情報と、現在時刻とが所定の範囲内であるか否か
を確認することでライブ性の確認を行うようにする。これにより、ユーザは、本人確認及
びライブ性確認時にオンラインで提出する画像を事前に撮影しておいて後日提出するとい
った行為や、事前に撮影した画像を加工して提出するといった行為を行うことが困難にな
る。すなわち、第５実施形態によれば、本人確認及びライブ性確認時にオンラインで提出
される身分証明書の側面の画像が、その場で撮影されたものであること（ライブ性）を担
保することが可能になるという効果が得られる。また、第１実施形態及び第３実施形態と
比較して、身分証明書の撮影ガイドを記憶しておく必要がないことから、サーバ１１０及
び端末１２０のメモリ領域を削減することができるという効果が得られる。
【０２２４】
＜第５実施形態の機能構成＞
図３を用いてサーバ１１０の機能構成を説明する。なお、第５実施形態を第１実施形態
及び／又は第３実施形態と組み合わせない場合、図３における選択部３１３及び撮影ガイ
ド送信部３１４は不要である。
【０２２５】
画像受信部３１５は、撮影時の時刻情報が付加されたユーザの身分証明書の画像と、撮
影時の時刻情報が付加されたユーザの顔の画像と、ユーザにより入力されたユーザの属性
情報とを、端末１２０から受信する機能を有する。
【０２２６】
認証部３１６は、現在時刻と、ユーザの身分証明書の画像に付与された時刻情報とが所
定の範囲内である場合に、当該身分証明書の画像を当該ユーザの本人認証の少なくとも一
部として承認する機能を有する。また、認証部３１６は、現在時刻と、ユーザの身分証明
書の画像に付与された時刻情報と、ユーザの顔の画像に付与された時刻情報との比較結果
、受信したユーザの身分証明書の画像に含まれる顔部分の画像と、受信したユーザの顔の
画像との比較結果、及び、受信したユーザの身分証明書の画像に含まれるユーザの属性情
報と、受信したユーザの属性情報との比較結果に基づいて、ユーザの本人確認及びライブ
性確認を行う機能を有する。
【０２２７】
図１３を用いて端末１２０の機能構成を説明する。第５実施形態では、位置情報測定部
３２７は不要である。その他特に言及しない点は第４実施形態と同一でよい。
【０２２８】
通信部３２２は、撮影部３２４で撮影された、撮影時の時刻情報が付加されたユーザの
身分証明書の画像と、撮影時の時刻情報が付加されたユーザの顔の画像と、入力部３２１
で受け付けたユーザの属性情報とをサーバ１１０に送信する機能を有する。
【０２２９】
撮影部３２４は、ユーザの操作に応答して、ユーザの身分証明書の画像と、ユーザの顔
の画像とを、端末１２０が備えるカメラを用いて撮影する機能を有する。また、撮影部３
２４は、撮影したユーザの身分証明書の画像とユーザの顔の画像とに、撮影時の時刻情報
を付加する機能を有する。
【０２３０】
＜第５実施形態の動作処理＞
図１５を参照し、第５実施形態に係る通信システム１の処理について説明する。図１５
は、第５実施形態に係る通信システム１の処理のシーケンスの一例を示す。
【０２３１】
ステップＳ４００の処理手順は、図５のステップＳ１００の処理手順と同一であるため
説明は省略する。
【０２３２】
ステップＳ４０１で、撮影部３２４は、シャッターボタンが押下（又はタッチ）された
タイミングで、身分証明書の表面の画像を撮影し、撮影された画像に、撮影時の時刻情報
を示す位置情報を付加する。
【０２３３】
ステップＳ４０２で、撮影部３２４は、シャッターボタンが押下（又はタッチ）された
タイミングで、身分証明書の裏面の画像を撮影し、撮影された画像に、撮影時の時刻情報
を示す位置情報を付加する。
【０２３４】
ステップＳ４０３で、撮影部３２４は、シャッターボタンが押下（又はタッチ）された
タイミングで、身分証明書の側面の画像を撮影し、撮影された画像に、撮影時の時刻情報
を示す位置情報を付加する。
【０２３５】
ステップＳ４０４で、撮影部３２４は、シャッターボタンが押下（又はタッチ）された
タイミングで、ユーザの顔の画像を撮影し、撮影された画像に、撮影時の時刻情報を示す
位置情報を付加する。
【０２３６】
ステップＳ４０５の処理手順は、図１４のステップＳ３０６の処理手順と同一であるた
め説明は省略する。
【０２３７】
ステップＳ４０６で、通信部３２２は、ステップＳ４００の処理手順で入力されたユー
ザの属性情報と、身分証明書の表面、裏面及び側面の画像と、ユーザの顔の画像とをサー
バ１１０に送信する。
【０２３８】
ステップＳ４０７で、サーバ１１０の認証部３２５は、受信したユーザの属性情報と、
身分証明書の表面、裏面及び側面の画像と、ユーザの顔の画像と、現在時刻とを用いてユ
ーザの本人確認処理及びライブ性確認処理を行う。
【０２３９】
まず、認証部３２５は、ユーザの身分証明書の表面、裏面及び側面の各々の画像に付与
された時刻情報と、ユーザの顔の画像に付与された時刻情報とが、現在時刻から所定の範
囲内に含まれることを確認する。
【０２４０】
次に、認証部３２５は、身分証明書の画像に含まれる顔部分の画像と、ユーザの顔の画
像とを比較し、比較結果が所定の一致判定基準を満たすことを確認することで、身分証明
書に写っている人物とユーザとが同一人物であることを確認する。
【０２４１】
次に、認証部３２５は、身分証明書の画像に含まれるユーザの属性情報と、ユーザが端
末１２０に入力したユーザの属性情報とを比較することで、ユーザが入力した属性情報が
身分証明書の記載事項と一致することを確認する。
【０２４２】
認証部３２５は、"ユーザの身分証明書の表面、裏面及び側面の各々の画像に付与され
た時刻情報と、ユーザの顔の画像に付与された時刻情報とが、現在時刻から所定の範囲内
に含まれること"と、"ユーザの身分証明書の画像に含まれる顔部分の画像と、ユーザの顔
の画像とが所定の一致判定基準を満たすこと"と、"ユーザの身分証明書の画像に含まれる
ユーザの属性情報と、受信したユーザの属性情報とが一致すること"の全ての項目が確認
できた場合に、ユーザがサービス申込者本人（本人確認が取れた）であり、かつ画像がそ
の場で撮影されたものである（ライブ性がある）と判定する。
【０２４３】
一方、いずれかの項目について確認ができなかった場合に認証部３２５が行う処理手順
については、第１実施形態又は第３実施形態と同一であるため説明は省略する。
【０２４４】
本人確認処理及びライブ性確認処理をサーバ１１０側で実施する場合、ステップＳ４０
８及びステップＳ４０９の処理手順は省略され、本人確認処理を端末１２０側で実施する
場合、ステップＳ４０６及びステップＳ４０７の処理手順は省略される。
【０２４５】
ステップＳ４０８で、端末１２０の認証部３２５が行う本人確認処理及びライブ性確認
処理は、ステップＳ４０７の処理手順でサーバ１１０の認証部３１６が行う本人確認処理
及びライブ性確認処理と同一であるため説明は省略する。
【０２４６】
ステップＳ４０９の処理手順は、図５のステップＳ１１２の処理手順と同一であるため
説明は省略する。
【０２４７】
＜第５実施形態の第１実施例＞
なお、第５実施形態において、画像に付与された時刻情報と現在時刻とを比較すること
に加えて、画像に付与された位置情報と、端末１２０の現在位置を示す位置情報とを比較
することで、ライブ性の確認を行うようにしてもよい。
【０２４８】
例えば、端末１２０の撮影部３２４は、撮影したユーザの身分証明書の表面、裏面及び
側面の画像とユーザの顔の画像に、時刻情報に加えて撮影時の位置情報を付加し、通信部
３２２は、端末１２０の現在位置を示す位置情報と、位置情報及び撮影時の時刻が付加さ
れたユーザの身分証明書の表面、裏面及び側面の画像と、位置情報及び撮影時の時刻が付
加されたユーザの顔の画像とをサーバ１１０に送信する。サーバ１１０の画像受信部３１
５は、位置情報及び撮影時の時刻が付加されたユーザの身分証明書の画像と、位置情報及
び撮影時の時刻が付加されたユーザの顔の画像とを受信することになる。
【０２４９】
また、サーバ１１０の認証部３１６は、時刻情報の比較に加えて、端末１２０の位置情
報と、ユーザの身分証明書の画像に付与された位置情報と、ユーザの顔の画像に付与され
た位置情報との比較結果に基づいて、ユーザの本人確認及びライブ性確認を行う。具体的
には、認証部３１６は、端末１２０の位置情報と、ユーザの身分証明書の表面、裏面及び
側面の各々の画像に付与された位置情報と、ユーザの顔の画像に付与された位置情報とが
所定の範囲内である場合に、ライブ性が確認できたと判定するようにしてもよい。所定の
範囲内とは、限定ではなく例示として、５ｍ以内又は１０ｍ以内等であってもよい。
【０２５０】
以上説明した第１実施例は、端末１２０の認証部３２５が本人確認及びライブ性確認を
行う際にも適用することができる。
【符号の説明】
【０２５１】
１  通信システム、１１０  サーバ、１２０  端末、１３０  ネットワーク、２００  
情報処理装置、２０１  プロセッサ、２０２  メモリ、２０３  ストレージ、２０４  入
出力Ｉ／Ｆ、２０５  通信Ｉ／Ｆ、３１１  入出力部、３１２  通信部、３１３  選択部
、３１４  撮影ガイド送信部、３１５  画像受信部、３１６  認証部、３１７  記憶部、
３２１  入力部、３２２  通信部、３２３  表示制御部、３２４  撮影部、３２５  認証
部、３２６  記憶部、３２７  位置情報測定部
【図１】
2020021459.tif 000003
【図２】
2020021459.tif 000004
【図３】
2020021459.tif 000005
【図４】
2020021459.tif 000006
【図５】
2020021459.tif 000007
【図６】
2020021459.tif 000008
【図７】
2020021459.tif 000009
【図８】
2020021459.tif 000010
【図９】
2020021459.tif 000011
【図１０】
2020021459.tif 000012
【図１１】
2020021459.tif 000013
【図１２】
2020021459.tif 000014
【図１３】
2020021459.tif 000015
【図１４】
2020021459.tif 000016
【図１５】
2020021459.tif 000017
【手続補正書】
【提出日】令和1年6月7日(2019.6.7)
【手続補正１】
【補正対象書類名】特許請求の範囲
【補正対象項目名】全文
【補正方法】変更
【補正の内容】
【特許請求の範囲】
【請求項１】
第１情報処理装置と通信する第２情報処理装置が実行する情報処理方法であって、
撮影時の時刻情報が付加されたユーザの本人確認画像を、前記第１情報処理装置から受信する受信ステップと、
前記本人確認画像を受信した時刻と、前記ユーザの本人確認画像に付与された時刻情報とが所定の範囲内である場合に、前記本人確認画像を前記ユーザの本人認証の少なくとも一部として承認する認証ステップと、を含む情報処理方法。
【請求項２】
前記本人確認画像は、ユーザの本人確認書類の動画像を含み、
前記受信ステップは、さらに、
前記ユーザにより入力された前記ユーザの属性情報を、前記第１情報処理装置から受信するステップを含み、
前記認証ステップは、さらに、
受信した前記ユーザの本人確認書類の動画像に含まれる前記ユーザの属性情報と、受信した前記ユーザの属性情報との比較結果に基づいて、前記ユーザの本人認証を行うステップをさらに含む、
請求項１に記載の情報処理方法。
【請求項３】
前記本人確認画像は、ユーザの顔を含む動画像を含み、
前記認証ステップは、さらに、
受信した前記ユーザの本人確認書類の動画像に含まれる顔部分の動画像と、受信した前記ユーザの顔の動画像との比較結果に基づいて、前記ユーザの本人認証を行うステップをさらに含む、
請求項２に記載の情報処理方法。
【請求項４】
第１情報処理装置に、
ユーザの操作に応答して、ユーザの本人確認画像を撮影し、撮影した前記ユーザの本人確認画像に、撮影時の時刻情報を付加する撮影ステップと、
第２情報処理装置に、前記本人確認画像を受信した時刻と、前記ユーザの本人確認画像に付与された時刻情報とが所定の範囲内である場合に、前記本人確認画像を前記ユーザの本人認証の少なくとも一部として承認させるために、撮影時の時刻情報が付加された前記ユーザの本人確認書類の動画像を、前記第２情報処理装置に送信する送信ステップと、
を実行させるプログラム。
【請求項５】
第１情報処理装置と通信する第２情報処理装置として動作する情報処理装置であって、
撮影時の時刻情報が付加されたユーザの本人確認画像を、前記第１情報処理装置から受信する受信部と、
前記本人確認画像を受信した時刻と、前記ユーザの本人確認画像に付与された時刻情報とが所定の範囲内である場合に、前記本人確認画像を前記ユーザの本人認証の少なくとも一部として承認する認証部と、を含む情報処理装置。
【請求項６】
第１情報処理装置と通信する第２情報処理装置に、
撮影時の時刻情報が付加されたユーザの本人確認画像を、前記第１情報処理装置から受信する受信ステップと、
前記本人確認画像を受信した時刻と、前記ユーザの本人確認画像に付与された時刻情報とが所定の範囲内である場合に、前記本人確認画像を前記ユーザの本人認証の少なくとも一部として承認する認証ステップと、を実行させるプログラム。
【請求項７】
情報処理装置であって、
ユーザの操作に応答して、ユーザの本人確認画像を撮影し、撮影した前記ユーザの本人確認画像に、撮影時の時刻情報を付加する撮影部と、
他の情報処理装置に、前記本人確認画像を受信した時刻と、前記ユーザの本人確認画像に付与された時刻情報とが所定の範囲内である場合に、前記本人確認画像を前記ユーザの本人認証の少なくとも一部として承認させるために、撮影時の時刻情報が付加された前記ユーザの本人確認書類の動画像を、前記他の情報処理装置に送信する送信部と、を有する情報処理装置。
【請求項８】
第１情報処理装置が実行する情報処理方法であって、
ユーザの操作に応答して、ユーザの本人確認画像を撮影し、撮影した前記ユーザの本人確認画像に、撮影時の時刻情報を付加する撮影ステップと、
第２情報処理装置に、前記本人確認画像を受信した時刻と、前記ユーザの本人確認画像に付与された時刻情報とが所定の範囲内である場合に、前記本人確認画像を前記ユーザの本人認証の少なくとも一部として承認させるために、撮影時の時刻情報が付加された前記ユーザの本人確認書類の動画像を、前記第２情報処理装置に送信する送信ステップと、を含む情報処理方法。